(57)【要約】【課題】利便性に優れた新規な入出力装置を提供する。【解決手段】第１の制御部と、第２の制御部と、入出力ユニットと、を有する入出力装置であって、第１の制御部は、識別情報に基づいてコードを供給し、第２の制御部は、画像情報を供給され、画像情報および検知信号に基づいて第１の情報または第２の情報を生成し、第１の情報または第２の情報を供給し、入出力ユニットは、入力ユニット、表示ユニットを備え、入力ユニットは、機構、検知器を備え、検知器は、機構の状態に基づいて識別情報を供給し、表示ユニットは、機構と接続され、表示パネル、検知部を備え、表示パネルは、画素を備え、画素は、第１の表示素子、第２の表示素子を備え、第１の表示素子は、第１の情報に基づいて表示をし、第２の表示素子は、第２の情報に基づいて表示をし、検知部は、照度に基づいて検知信号を供給する。【選択図】図１
2018032288.tif 000002
【特許請求の範囲】
【請求項１】
第１の制御部と、
第２の制御部と、
入出力ユニットと、を有し、
前記第１の制御部は、識別情報を供給される機能を備え、
前記第１の制御部は、前記識別情報に基づいてコードを供給する機能を備え、
前記第２の制御部は、画像情報を供給される機能を備え、
前記第２の制御部は、検知信号を供給される機能を備え、
前記第２の制御部は、前記画像情報および前記検知信号に基づいて第１の情報または第２の情報を生成する機能を備え、
前記第２の制御部は、前記第１の情報または前記第２の情報を供給する機能を備え、
前記入出力ユニットは、入力ユニットおよび表示ユニットを備え、
前記入力ユニットは、機構および検知器を備え、
前記機構は、選択状態または解除状態を備え、
前記検知器は、前記機構の状態に基づいて前記識別情報を供給する機能を備え、
前記表示ユニットは、前記機構と接続される機能を備え、
前記表示ユニットは、前記第１の情報および前記第２の情報を供給される機能を備え、
前記表示ユニットは、表示パネルおよび検知部を備え、
前記表示パネルは、前記第１の情報および前記第２の情報を供給される機能を備え、
前記表示パネルは、画素を備え、
前記画素は、第１の表示素子および第２の表示素子を備え、
前記第１の表示素子は、前記第１の情報に基づいて表示をする機能を備え、
前記第２の表示素子は、前記第２の情報に基づいて表示をする機能を備え、
前記検知部は、照度に基づいて前記検知信号を供給する機能を備える、入出力装置。
【請求項２】
筐体と、
複数の前記入出力ユニットと、を有し、
前記筐体は、複数の前記入出力ユニットを支持する機能を備え、
前記第１の制御部は、複数の異なる前記識別情報を供給される機能を備え、
前記第１の制御部は、異なる前記識別情報毎に異なるコードを生成する機能を備え、
前記第２の制御部は、複数の領域を備え、
前記第２の制御部は、一の前記領域を前記入出力ユニットのいずれかに関連付ける機能を備え、
前記第２の制御部は、一の前記領域を前記画像情報の一部に関連付ける機能を備え、
前記第２の制御部は、前記領域毎に異なる処理をする機能を備え、
前記第２の制御部は、前記領域に関連付けられた前記入出力ユニットが供給する前記検知信号に基づいて、前記領域毎に第１の情報または第２の情報を生成する機能を備え、
前記第２の制御部は、前記第１の情報および前記第２の情報を、前記領域に関連付けられた入出力ユニットに供給する機能を備える、請求項１に記載の入出力装置。
【請求項３】
前記第１の表示素子は、反射型の表示素子であり、
前記第２の表示素子は、発光素子である、請求項１または請求項２に記載の入出力装置。
【請求項４】
前記画素は、
第１の導電膜と、
第２の導電膜と、
絶縁膜と、
画素回路と、を有し、
前記第２の導電膜は、前記第１の導電膜と重なる領域を備え、
前記絶縁膜は、前記第１の導電膜および前記第２の導電膜の間に挟まれる領域を備え、
前記絶縁膜は、開口部を備え、
前記第１の導電膜は、前記第１の表示素子と電気的に接続され、
前記第２の導電膜は、前記開口部において前記第１の導電膜と電気的に接続され、
前記第２の導電膜は、前記画素回路と電気的に接続され、
前記第２の表示素子は、前記画素回路と電気的に接続され、
前記第２の表示素子は、前記絶縁膜に向けて光を射出する機能を備え、
前記第２の表示素子は、前記第１の表示素子を視認できる範囲の一部において視認できるように配設される、請求項１乃至請求項３のいずれか一に記載の入出力装置。
【請求項５】
前記表示パネルは、一群の複数の画素と、他の一群の複数の画素と、走査線と、信号線と、を有し、
前記一群の複数の画素は、前記画素を含み、
前記一群の複数の画素は、行方向に配設され、
前記他の一群の複数の画素は、前記画素を含み、
前記他の一群の複数の画素は、行方向と交差する列方向に配設され、
前記走査線は、一群の複数の画素と電気的に接続され、
前記信号線は、他の一群の複数の画素と電気的に接続される、請求項１乃至請求項４のいずれか一に記載の入出力装置。
【請求項６】
請求項１乃至請求項５のいずれか一に記載の入出力装置と、
表示部と、
演算装置と、
筐体と、を有する、情報処理装置。
【発明の詳細な説明】
【技術分野】
【０００１】
本発明の一態様は、入出力装置、または情報処理装置に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】
単数または複数のキーを備えるコンピュータの周辺機器が知られている。それぞれのキーは、キーの表面に配置されたいくつかの発光ダイオードを備える。それぞれの発光ダイオードは、キーに設けられた専用の集積回路から供給される信号に基づいて点灯または消灯する（特許文献１）。
【先行技術文献】
【特許文献】
【０００４】
【特許文献１】米国特許出願公開第２００８／０００１７８７号明細書
【発明の概要】
【発明が解決しようとする課題】
【０００５】
本発明の一態様は、利便性に優れた新規な入出力装置を提供することを課題の一とする。または、利便性に優れた新規な情報処理装置を提供することを課題の一とする。または、新規な入力装置、新規な情報処理装置または新規な半導体装置を提供することを課題の一とする。
【０００６】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００７】
（１）本発明の一態様は、第１の制御部と、第２の制御部と、入出力ユニットと、を有する入出力装置である。
【０００８】
第１の制御部は識別情報を供給される機能を備え、第１の制御部は識別情報に基づいてコードを供給する機能を備える。
【０００９】
第２の制御部は画像情報を供給される機能を備え、第２の制御部は検知信号を供給される機能を備え、第２の制御部は画像情報および検知信号に基づいて第１の情報または第２の情報を生成する機能を備え、第２の制御部は第１の情報または第２の情報を供給する機能を備える。
【００１０】
入出力ユニットは、入力ユニットおよび表示ユニットを備える。
【００１１】
入力ユニットは、機構および検知器を備える。
【００１２】
機構は選択状態または解除状態を備え、検知器は機構の状態に基づいて識別情報を供給する機能を備える。
【００１３】
表示ユニットは機構と接続される機能を備え、表示ユニットは第１の情報および第２の情報を供給される機能を備え、表示ユニットは表示パネルおよび検知部を備える。
【００１４】
表示パネルは第１の情報および第２の情報を供給される機能を備え、表示パネルは画素を備える。
【００１５】
画素は、第１の表示素子および第２の表示素子を備える。
【００１６】
第１の表示素子は第１の情報に基づいて表示をする機能を備え、第２の表示素子は第２の情報に基づいて表示をする機能を備える。
【００１７】
検知部は、照度に基づいて検知信号を供給する機能を備える。
【００１８】
これにより、入力ユニットの状態に基づいてコードを供給することができる。または、画像情報および照度に基づいて表示ユニットに表示することができる。その結果、利便性に優れた新規な入出力装置を提供することができる。
【００１９】
（２）また、本発明の一態様は、筐体と、複数の入出力ユニットと、を有する上記の入出力装置である。
【００２０】
筐体は、複数の入出力ユニットを支持する機能を備える。
【００２１】
第１の制御部は複数の異なる識別情報を供給される機能を備え、第１の制御部は異なる識別情報毎に異なるコードを生成する機能を備える。
【００２２】
第２の制御部は複数の領域を備え、第２の制御部は一の領域を入出力ユニットのいずれかに関連付ける機能を備え、第２の制御部は一の領域を画像情報の一部に関連付ける機能を備える。また、第２の制御部は領域毎に異なる処理をする機能を備える。
【００２３】
第２の制御部は領域に関連付けられた入出力ユニットが供給する検知信号に基づいて、領域毎に第１の情報または第２の情報を生成する機能を備え、第２の制御部は第１の情報および第２の情報を領域に関連付けられた入出力ユニットに供給する機能を備える。
【００２４】
これにより、入出力ユニット毎に異なるコードを供給することができる。または、表示する画像情報を入出力ユニット毎に決定することができる。例えば、表示する文字、数字または記号等のキャラクターを入出力ユニット毎に決定することができる。または、複数の入出力ユニットが配列される面における照度分布を検知することができる。または、照度分布に基づいて画像情報を生成することができる。または、照度分布に基づいて異なる方法で表示することができる。その結果、利便性に優れた新規な入出力装置を提供することができる。
【００２５】
（３）また、本発明の一態様は、第１の表示素子が反射型の表示素子であり、第２の表示素子が発光素子である、上記の入出力装置である。
【００２６】
これにより、反射型の表示素子を第１の表示素子に用いて、消費電力を低減することができる。または、外光が明るい環境下において、入出力ユニットに高いコントラストで画像情報を良好に表示することができる。または、光を射出する第２の表示素子を用いて、暗い環境下において入出力ユニットに画像情報を良好に表示することができる。または、反射型の表示素子を用いて、照度が高い領域に配置される入出力ユニットに画像情報を表示をすることができる。または、発光素子を用いて、照度が低い領域に配置される入出力ユニットに画像情報を表示をすることができる。または、照度が高い領域に配置される入出力ユニットが消費する電力を抑制することができる。または、照度が低い領域に配置される入出力ユニットにキャラクターを鮮やかには表示することができる。その結果、利便性に優れた新規な入出力装置を提供することができる。
【００２７】
（４）また、本発明の一態様は、画素が、第１の導電膜と、第２の導電膜と、絶縁膜と、画素回路と、を有する上記の入出力装置である。
【００２８】
第２の導電膜は、第１の導電膜と重なる領域を備える。
【００２９】
絶縁膜は第１の導電膜および第２の導電膜の間に挟まれる領域を備え、絶縁膜は開口部を備える。
【００３０】
第１の導電膜は第１の表示素子と電気的に接続される。
【００３１】
第２の導電膜は開口部において第１の導電膜と電気的に接続され、第２の導電膜は画素回路と電気的に接続され、第２の表示素子は、画素回路と電気的に接続される。
【００３２】
第２の表示素子は絶縁膜に向けて光を射出する機能を備え、第２の表示素子は第１の表示素子を視認できる範囲の一部において視認できるように配設される。
【００３３】
（５）また、本発明の一態様は、表示パネルが、一群の複数の画素と、他の一群の複数の画素と、走査線と、信号線と、を有する上記の入出力装置である。
【００３４】
一群の複数の画素は画素を含み、一群の複数の画素は行方向に配設される。
【００３５】
他の一群の複数の画素は画素を含み、他の一群の複数の画素は行方向と交差する列方向に配設される。
【００３６】
走査線は一群の複数の画素と電気的に接続され、信号線は他の一群の複数の画素と電気的に接続される。
【００３７】
これにより、例えば同一の工程を用いて形成することができる画素回路を用いて、第１の表示素子と、第１の表示素子とは異なる方法を用いて表示をする第２の表示素子と、を駆動することができる。または、絶縁膜を用いて、第１の表示素子および第２の表示素子の間または第１の表示素子および画素回路の間における不純物の拡散を抑制することができる。その結果、利便性に優れた新規な入出力装置を提供することができる。
【００３８】
（６）また、本発明の一態様は、上記の入出力装置と、表示部と、演算装置と、筐体と、を有する、情報処理装置である。
【００３９】
本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。
【００４０】
本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。
【００４１】
本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。
【００４２】
本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。
【００４３】
本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。
【００４４】
本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。
【００４５】
また、本明細書中において、トランジスタの第１の電極または第２の電極の一方がソース電極を、他方がドレイン電極を指す。
【発明の効果】
【００４６】
本発明の一態様によれば、利便性に優れた新規な入出力装置を提供することができる。または、利便性に優れた新規な情報処理装置を提供することができる。または、利便性に優れた新規な半導体装置を提供することができる。または、新規な入出力装置、新規な情報処理装置または新規な半導体装置を提供することができる。
【００４７】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００４８】
【図１】実施の形態に係る入出力装置の構成を説明するブロック図。
【図２】実施の形態に係る入出力装置の構成を説明する投影図。
【図３】実施の形態に係る入出力装置の構成を説明する断面図。
【図４】実施の形態に係る入出力装置の構成を説明するブロック図。
【図５】実施の形態に係るプログラムを説明するフローチャート。
【図６】実施の形態に係る表示パネルの構成を説明する上面図および模式図。
【図７】実施の形態に係る表示パネルの構成を説明する断面図。
【図８】実施の形態に係る表示パネルの構成を説明する断面図。
【図９】実施の形態に係る画素の構成を説明する下面図。
【図１０】実施の形態に係る画素の構成を説明する回路図。
【図１１】実施の形態に係る反射膜の構成を説明する模式図。
【図１２】実施の形態に係る情報処理装置の構成を説明するブロック図および投影図。
【発明を実施するための形態】
【００４９】
本発明の一態様は、第１の制御部と、第２の制御部と、入出力ユニットと、を有する入出力装置である。
【００５０】
第１の制御部は識別情報を供給される機能を備え、第１の制御部は識別情報に基づいてコードを供給する機能を備える。
【００５１】
第２の制御部は画像情報を供給される機能を備え、第２の制御部は検知信号を供給される機能を備え、第２の制御部は画像情報および検知信号に基づいて第１の情報または第２の情報を生成する機能を備え、第２の制御部は第１の情報または第２の情報を供給する機能を備える。
【００５２】
入出力ユニットは、入力ユニットおよび表示ユニットを備える。
【００５３】
入力ユニットは機構および検知器を備える。機構は選択状態または解除状態を備え、検知器は機構の状態に基づいて識別情報を供給する機能を備える。
【００５４】
表示ユニットは機構と接続される機能を備え、表示ユニットは第１の情報および第２の情報を供給される機能を備え、表示ユニットは表示パネルおよび検知部を備える。
【００５５】
表示パネルは第１の情報および第２の情報を供給される機能を備え、表示パネルは画素を備える。
【００５６】
画素は第１の表示素子および第２の表示素子を備える。
【００５７】
第１の表示素子は第１の情報に基づいて表示をする機能を備え、第２の表示素子は第２の情報に基づいて表示をする機能を備える。
【００５８】
検知部は、照度に基づいて検知信号を供給する機能を備える。
【００５９】
これにより、入力ユニットの状態に基づいてコードを供給することができる。または、画像情報および照度に基づいて表示ユニットに表示することができる。その結果、利便性に優れた新規な入出力装置を提供することができる。
【００６０】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００６１】
（実施の形態１）
本実施の形態では、本発明の一態様の入出力装置の構成について、図１乃至図４を参照しながら説明する。
【００６２】
図１は本発明の一態様の入出力装置の構成を説明するブロック図である。
【００６３】
図２は本発明の一態様の入出力装置の構成を説明する図である。図２は入出力装置の外観を説明する投影図である。
【００６４】
図３は本発明の一態様の入出力装置の構成を説明する断面図である。り、図３（Ａ）は図２に示す切断線Ｗ１−Ｗ２における本発明の一態様の入出力ユニットの断面図であり、図３（Ｂ）は図３（Ａ）とは異なる本発明の一態様の入出力ユニットの断面図である。
【００６５】
図４は本発明の一態様の入出力装置の構成を説明する図である。図４（Ａ）は表示ユニットの構成を説明するブロック図であり、図４（Ｂ）は本発明の一態様の入出力ユニットの画素の構成を説明する模式図である。
【００６６】
図５は、本発明の一態様のプログラムを説明するフローチャートである。図５（Ａ）は、本発明の一態様のプログラムの主の処理を説明するフローチャートであり、図５（Ｂ）は、割り込み処理を説明するフローチャートである。
【００６７】
なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【００６８】
＜入出力装置の構成例１．＞
本実施の形態で説明する入出力装置２２０は、第１の制御部ＫＢＣと、第２の制御部２３８と、入出力ユニットと、を有する（図１参照）。
【００６９】
第１の制御部ＫＢＣは識別情報Ｐ１１を供給される機能を備え、第１の制御部ＫＢＣは識別情報Ｐ１１に基づいてコードＰ１を供給する機能を備える。例えば、キーボードコントローラーを第１の制御部ＫＢＣに用いることができる。具体的には、第１の制御部ＫＢＣは、識別情報Ｐ１１に基づいてスキャンコードを供給することができる。
【００７０】
第２の制御部２３８は画像情報Ｖ１を供給される機能を備え、第２の制御部２３８は検知信号ＳＳ１を供給される機能を備える。また、第２の制御部２３８は画像情報Ｖ１および検知信号ＳＳ１に基づいて第１の情報Ｖ１１または第２の情報Ｖ１２を生成する機能を備え、第２の制御部２３８は第１の情報Ｖ１１または第２の情報Ｖ１２を供給する機能を備える。例えば、静止画像または動画像を、画像情報Ｖ１に用いることができる。具体的には、キャラクターを含む画像を画像情報Ｖ１に用いることができる。例えば、文字、数字、記号、絵等をキャラクターに用いることができる。また、入出力装置の使用者は、使用する言語、文化または地域に応じて、好適なキャラクターを画像情報Ｖ１に用いることができる。例えば、アルファベット、ひらがな、漢字等を、画像情報Ｖ１に用いることができる。
【００７１】
入出力ユニットは入力ユニット７７５Ｕ（ｋ）および表示ユニット７００Ｕ（ｋ）を備える（図３（Ａ）参照）。
【００７２】
入力ユニット７７５Ｕ（ｋ）は機構および検知器７７５Ｓを備える図３（Ａ。
【００７３】
機構は、選択状態または解除状態を備える。例えば、カップ７７５Ａ、弾性体７７５Ｂまたはコネクタ２０２を機構に用いることができる。
【００７４】
カップ７７５Ａは可撓性を備え、弾性体７７５Ｂはカップ７７５Ａを所定の形状に復元する機能を備える。例えば、カップ状に成形されたゴムをカップ７７５Ａに用いることができる。また、ばねを弾性体７７５Ｂに用いることができる。弾性体７７５Ｂはカップ７７５Ａを押しつぶす力に反発する機能を備える。これにより、弾性体７７５Ｂは押しつぶされたカップ７７５Ａの形状を元の形状に押し戻すことができる。
【００７５】
カップ７７５Ａまたは弾性体７７５Ｂは、例えば、筐体２０１の開口部にはめ込まれた摺動可能なコネクタ２０２を支える機能を備える。これにより、入出力装置２２０の使用者は、コネクタ２０２をカップ７７５Ａまたは弾性体７７５Ｂに向けて押し込むことができる。なお、コネクタ２０２が押し込まれた状態を選択状態にすることができ、コネクタ２０２が押し込まれていない状態を解除状態にすることができる。
【００７６】
なお、コネクタ２０２は回路基板２４１と電気的に接続され、信号を中継する機能を備える。例えば、コネクタ２０２は第１の情報Ｖ１１または第２の情報Ｖ１２を中継する機能を備える。または、コネクタ２０２は検知信号ＳＳ１を中継する機能を備える。具体的には、フレキシブルプリント基板等を用いて、コネクタ２０２を端子２４２Ａまたは端子２４２Ｂと電気的に接続することができる。なお、端子２４２Ａを回路基板２４１と電気的に接続することができる。または端子２４２Ｂを回路基板２４１と電気的に接続することができる。
【００７７】
検知器７７５Ｓは、機構の状態に基づいて識別情報Ｐ１１を供給する機能を備える。例えば、スイッチを検知器７７５Ｓに用いることができる。具体的には、静電容量式のスイッチ、光学式のスイッチ、機械式のスイッチを検知器７７５Ｓに用いることができる。これにより、コネクタ２０２が押し込まれた状態か否かを検知することができる。
【００７８】
表示ユニット７００Ｕ（ｋ）は機構と接続される機能を備え、表示ユニット７００Ｕ（ｋ）は第１の情報Ｖ１１および第２の情報Ｖ１２を供給される機能を備え、表示ユニット７００Ｕ（ｋ）は表示パネル７００および検知部２５０を備える。また、例えば、コネクタ２１２またはキートップ２１１を表示ユニット７００Ｕ（ｋ）に用いることができる。
【００７９】
コネクタ２１２は表示ユニット７００Ｕ（ｋ）と電気的に接続され、信号を中継する機能を備える。コネクタ２１２は機構に用いるコネクタ２０２と電気的に接続され、信号を中継する機能を備える。また、コネクタ２１２は機構に用いるコネクタ２０２と機械的に接続することができる。
【００８０】
キートップ２１１は、透光性を備える領域または開口部を、表示ユニット７００Ｕ（ｋ）と重なる領域に備える。これにより、入出力装置２２０の使用者は、表示ユニット７００Ｕ（ｋ）の表示をキートップ２１１側から確認することができる。また、検知部２５０は、環境の照度を検知することができる。
【００８１】
表示パネル７００は第１の情報Ｖ１１および第２の情報Ｖ１２を供給される機能を備え、表示パネル７００は画素７０２（ｉ，ｊ）を備える（図４（Ａ）参照）。
【００８２】
画素７０２（ｉ，ｊ）は、第１の表示素子７５０（ｉ，ｊ）および第２の表示素子５５０（ｉ，ｊ）を備える（図４（Ｂ）参照）。
【００８３】
第１の表示素子７５０（ｉ，ｊ）は、第１の情報Ｖ１１に基づいて表示をする機能を備える。
【００８４】
第２の表示素子５５０（ｉ，ｊ）は、第２の情報Ｖ１２に基づいて表示をする機能を備える。
【００８５】
検知部２５０は、照度に基づいて検知信号ＳＳ１を供給する機能を備える（図４（Ａ）参照）。
【００８６】
これにより、入力ユニットの状態に基づいてコードを供給することができる。または、画像情報および照度に基づいて生成した情報を表示ユニットに表示することができる。または、入出力ユニットに表示する画像情報を変更することができる。その結果、利便性に優れた新規な入出力装置を提供することができる。
【００８７】
また、本実施の形態で説明する入出力装置２２０は、筐体２０１と、複数の入出力ユニットと、を有する（図２参照）。例えば、入出力装置２２０は６０個の入出力ユニットを備える（図１参照）。具体的には、入力ユニット７７５Ｕ（１）乃至入力ユニット７７５Ｕ（６０）および表示ユニット７００Ｕ（１）乃至表示ユニット７００Ｕ（６０）を備える図１。これにより、例えば、入出力装置２２０を、キーボードに用いることができる。
【００８８】
筐体２０１は、複数の入出力ユニットを支持する機能を備える（図２参照）。
【００８９】
第１の制御部ＫＢＣは複数の異なる識別情報Ｐ１１を供給される機能を備え、第１の制御部ＫＢＣは異なる識別情報Ｐ１１毎に異なるコードを生成する機能を備える（図１参照）。例えば、あらかじめ異なるコードＰ１を、異なる識別情報Ｐ１１に割り当てる。これにより、供給された識別情報Ｐ１１に基づいて、割り当てられたコードＰ１を生成することができる。
【００９０】
第２の制御部２３８は、複数の領域を備える。例えば、画像処理部２３５は、入出力装置２２０が備える入出力ユニットの数と同じ数の領域を備えることができる。具体的には、６０個の領域を備えることができる。または、画像処理部２３５は第１の領域２３５Ｍ（１）および第２の領域２３５Ｍ（２）を備え、それぞれの領域は、入出力装置２２０が備える入出力ユニットの数と同じ数の領域を備えることができる。
【００９１】
第２の制御部２３８は、一の領域を入出力ユニットのいずれかに関連付ける機能を備える。
【００９２】
第２の制御部２３８は、一の領域を画像情報Ｖ１の一部に関連付ける機能を備える。例えば、画像情報Ｖ１が複数のキャラクターを含む場合、複数の領域のそれぞれを、複数のキャラクターのそれぞれに関連付けることができる。具体的には、それぞれの領域にそれぞれのキャラクターを記憶させることができる。
【００９３】
第２の制御部２３８は、領域毎に異なる処理をする機能を備える。
【００９４】
第２の制御部２３８は、領域に関連付けられた入出力ユニットが供給する検知信号ＳＳ１に基づいて、領域毎に第１の情報Ｖ１１または第２の情報Ｖ１２を生成する機能を備える。第２の制御部２３８は、例えば、画像情報Ｖ１の異なる一部と、異なる検知信号ＳＳ１に基づいて、入出力ユニット毎に第１の情報および第２の情報を生成することができる。
【００９５】
第２の制御部２３８は、第１の情報Ｖ１１および第２の情報Ｖ１２を、領域に関連付けられた入出力ユニットに供給する機能を備える。
【００９６】
これにより、入出力ユニット毎に異なるコードを供給することができる。または、表示する画像情報を入出力ユニット毎に決定することができる。例えば、表示する文字、数字または記号等のキャラクターを入出力ユニット毎に決定することができる。または、複数の入出力ユニットが配列される面における照度分布を検知することができる。または、照度分布に基づいて画像情報を生成することができる。または、照度分布に基づいて異なる方法で表示することができる。その結果、利便性に優れた新規な入出力装置を提供することができる。
【００９７】
また、本実施の形態で説明する入出力装置２２０は、第１の表示素子が反射型の表示素子であり、第２の表示素子が発光素子である、上記の入出力装置である。
【００９８】
これにより、反射型の表示素子を第１の表示素子に用いて、消費電力を低減することができる。または、外光が明るい環境下において、入出力ユニットに高いコントラストで画像情報を良好に表示することができる。または、光を射出する第２の表示素子を用いて、暗い環境下において、入出力ユニットに画像情報を良好に表示することができる。または、反射型の表示素子を用いて、照度が高い領域に配置される入出力ユニットに画像情報を表示をすることができる。または、発光素子を用いて、照度が低い領域に配置される入出力ユニットに画像情報を表示をすることができる。または、照度が高い領域に配置される入出力ユニットが消費する電力を抑制することができる。または、照度が低い領域に配置される入出力ユニットにキャラクターを鮮やかには表示することができる。その結果、利便性に優れた新規な入出力装置を提供することができる。
【００９９】
なお、本実施の形態で説明する入出力装置は、他の構成を備えることができる。他の構成および上記の構成の詳細を、以下に説明する。
【０１００】
本実施の形態で説明する入出力装置２２０は、入力部２４０と、表示部２３０と、を有する（図１参照）。
【０１０１】
入力部２４０は、第１の制御部ＫＢＣおよび入力ユニット７７５Ｕ（１）乃至７７５Ｕ（６０）を備える。
【０１０２】
表示部２３０は、表示区域７００Ｇおよび第２の制御部２３８を備える。
【０１０３】
表示区域７００Ｇは、例えば、表示ユニット７００Ｕ（１）乃至７００Ｕ（６０）を備える。
【０１０４】
第２の制御部２３８は、伸張回路２３４および画像処理部２３５を備える（図１参照）。
【０１０５】
《表示パネル７００》
表示パネル７００は、画素７０２（ｉ，ｊ）を備える。画素７０２（ｉ，ｊ）は、第１の表示素子７５０（ｉ，ｊ）および第２の表示素子５５０（ｉ，ｊ）を備える。第２の表示素子５５０（ｉ，ｊ）は、第１の表示素子７５０（ｉ，ｊ）とは異なる方法で表示をする機能を備える。例えば、実施の形態２で説明する表示パネルを表示パネル７００に用いることができる。
【０１０６】
《検知部２５０》
検知部２５０は、周囲の状態を検知して検知信号ＳＳ１を供給する機能を備える。具体的には、照度を検知する機能を備える。例えば、光電変換素子を検知部２５０に用いることができる。
【０１０７】
《伸張回路２３４》
伸張回路２３４は、圧縮された状態で供給される画像情報Ｖ１を伸張する機能を備える。伸張回路２３４は、記憶部を備える。記憶部は、例えば伸張された画像情報を記憶する機能を備える。
【０１０８】
《画像処理部２３５》
画像処理部２３５は、例えば、領域２３５Ｍ（１）および領域２３５Ｍ（２）を備える。
【０１０９】
領域２３５Ｍ（１）または領域２３５Ｍ（２）は、例えば、画像情報Ｖ１に含まれる情報を記憶する機能を備える。
【０１１０】
また、画像処理部２３５は、例えば、所定の特性曲線に基づいて画像情報Ｖ１を補正して情報Ｖ１１を生成する機能と、情報Ｖ１１を供給する機能と、を備える。具体的には、第１の表示素子が良好な画像を表示するように、情報Ｖ１１を生成する機能を備える。
【０１１１】
画像処理部２３５は、例えば、所定の特性曲線に基づいて画像情報Ｖ１を補正して情報Ｖ１２を生成する機能と、情報Ｖ１２を供給する機能と、を備える。具体的には、第２の表示素子が良好な画像を表示するように、情報Ｖ１２を生成する機能を備える。
【０１１２】
画像処理部２３５は検知信号ＳＳ１を供給される機能を備える。
【０１１３】
画像処理部２３５はプログラムを実行する機能を備える。例えば、検知信号ＳＳ１に基づいて動作モードを決定する機能を備える。または、検知信号ＳＳ１に基づいて表示方法を決定する機能を備える。
【０１１４】
《プログラム》
本発明の一態様のプログラムは、下記のステップを有する（図５（Ａ）参照）。例えば、画像処理部２３５は、本発明の一態様のプログラムを実行することができる。
【０１１５】
［第１のステップ］
第１のステップにおいて、設定を初期化する（図５（Ａ）（Ｓ１）参照）。
【０１１６】
例えば、起動時に表示する所定の画像情報と、当該画像情報を表示する所定のモードと、当該画像情報を表示する所定の表示方法を特定する情報と、を記憶部から取得する。具体的には、一の静止画像情報または他の動画像情報を所定の画像情報に用いることができる。例えば、後に説明する、第１のモードまたは第２のモードを所定のモードに用いることができる。また、第１の表示方法、第２の表示方法または第３の表示方法を所定の表示方法に用いることができる。
【０１１７】
［第２のステップ］
第２のステップにおいて、割り込み処理を許可する（図５（Ａ）（Ｓ２）参照）。なお、割り込み処理が許可された演算装置は、主の処理と並行して割り込み処理を行うことができる。割り込み処理から主の処理に復帰した演算装置は、割り込み処理をして得た結果を主の処理に反映することができる。
【０１１８】
なお、カウンタの値が初期値であるとき、演算装置に割り込み処理をさせ、割り込み処理から復帰する際に、カウンタを初期値以外の値としてもよい。これにより、プログラムを起動した後に常に割り込み処理をさせることができる。
【０１１９】
［第３のステップ］
第３のステップにおいて、第１のステップまたは割り込み処理において選択された、所定のモードまたは所定の表示方法を用いて画像情報を表示する（図５（Ａ）（Ｓ３）参照）。なお、所定のモードは情報を表示するモードを特定し、所定の表示方法は画像情報を表示する方法を特定する。なお、例えば、画像情報Ｖ１および検知信号ＳＳ１に基づいて生成された情報Ｖ１１または情報Ｖ１２を表示することができる。
【０１２０】
例えば、画像情報Ｖ１を表示する一の方法を、第１のモードに関連付けることができる。または、画像情報Ｖ１を表示する他の方法を第２のモードに関連付けることができる。
【０１２１】
または、例えば、画像情報Ｖ１を表示する異なる３つの方法を、第１の表示方法乃至第３の表示方法に関連付けることができる。
【０１２２】
《第１のモード》
具体的には、３０Ｈｚ以上、好ましくは６０Ｈｚ以上の頻度で一の走査線に選択信号を供給し、選択信号に基づいて表示をする方法を、第１のモードに関連付けることができる。
【０１２３】
例えば、３０Ｈｚ以上、好ましくは６０Ｈｚ以上の頻度で選択信号を供給すると、動画像の動きを滑らかに表示することができる。
【０１２４】
例えば、３０Ｈｚ以上、好ましくは６０Ｈｚ以上の頻度で画像を更新すると、使用者の操作に滑らかに追従するように変化する画像を、使用者が操作中の情報処理装置２００に表示することができる。
【０１２５】
《第２のモード》
具体的には、３０Ｈｚ未満、好ましくは１Ｈｚ未満より好ましくは一分に一回未満の頻度で一の走査線に選択信号を供給し、選択信号に基づいて表示をする方法を、第２のモードに関連付けることができる。
【０１２６】
３０Ｈｚ未満、好ましくは１Ｈｚ未満より好ましくは一分に一回未満の頻度で選択信号を供給すると、フリッカーまたはちらつきが抑制された表示をすることができる。また、消費電力を低減することができる。
【０１２７】
例えば、１秒に一回の頻度または１分に一回の頻度等で表示を更新することができる。
【０１２８】
《第１の表示方法》
具体的には、反射型の第１の表示素子７５０（ｉ，ｊ）を表示に用いる方法を、第１の表示方法に用いることができる。これにより、例えば、消費電力を低減することができる。または、明るい環境下において、高いコントラストで画像情報を良好に表示することができる。
【０１２９】
《第２の表示方法》
具体的には、光を射出する第２の表示素子５５０（ｉ，ｊ）を表示に用いる方法を、第２の表示方法に用いることができる。これにより、例えば、暗い環境下において、画像情報を良好に表示することができる。または、良好な色再現性で写真等を表示することができる。または、動きの速い動画を滑らかに表示することができる。
【０１３０】
なお、第２の表示素子５５０（ｉ，ｊ）を用いて画像情報Ｖ１を表示する場合、照度情報に基づいて画像情報Ｖ１を表示する明るさを決定することができる。例えば、照度が５千ルクス以上１０万ルクス未満の場合、照度が５千ルクス未満の場合より明るくなるように、第２の表示素子５５０（ｉ，ｊ）を用いて画像情報Ｖ１を表示する。
【０１３１】
《第３の表示方法》
具体的には、第１の表示素子７５０（ｉ，ｊ）および第２の表示素子５５０（ｉ，ｊ）を表示に用いる方法を、第３の表示方法に用いることができる。これにより、消費電力を低減することができる。または、暗い環境下において、画像情報を良好に表示することができる。または、良好な色再現性で写真等を表示することができる。または、動きの速い動画を滑らかに表示することができる。
【０１３２】
ところで、第１の表示素子７５０（ｉ，ｊ）および第２の表示素子５５０（ｉ，ｊ）を表示に用いて、表示の明るさを調節する機能を、調光機能ということができる。例えば、反射型の表示素子の明るさを、光を射出する機能を備える表示素子を用いて補うことができる。
【０１３３】
また、第１の表示素子７５０（ｉ，ｊ）および第２の表示素子５５０（ｉ，ｊ）を表示に用いて、表示の色味を調節する機能を、調色機能ということができる。例えば、反射型の表示素子の色合いを、光を射出する機能を備える表示素子を用いて変えることができる。具体的には、反射型の液晶素子が表示する黄味を帯びた色合いを、青色の有機ＥＬ素子を用いて白色に近づけることができる。これにより、例えば、文字情報を普通紙に印刷された文字のように表示することができる。または、目にやさしい表示をすることができる。
【０１３４】
また、第１の表示素子７５０（ｉ，ｊ）と第２の表示素子５５０（ｉ，ｊ）とを表示に用いると、物体が反射する色と物体が発光する色とが掛け合わされる。これにより、絵画的な表示をすることができる。
【０１３５】
［第４のステップ］
第４のステップにおいて、終了命令が供給された場合は第５のステップに進み、終了命令が供給されなかった場合は第３のステップに進むように選択する（図５（Ａ）（Ｓ４）参照）。
【０１３６】
例えば、割り込み処理において供給された終了命令を判断に用いてもよい。
【０１３７】
［第５のステップ］
第５のステップにおいて、終了する（図５（Ａ）（Ｓ５）参照）。
【０１３８】
《割り込み処理》
割り込み処理は以下の第６のステップ乃至第８のステップを備える（図５（Ｂ）参照）。なお、割り込み処理を繰り返し実行してもよい。例えば、タイマーを用いる方法で、所定の時間おきに実行してもよい。または、所定の値より大きな照度の変化が観測された場合に実行してもよい。または、入出力装置の使用者の命令に基づいて実行してもよい。
【０１３９】
［第６のステップ］
第６のステップにおいて、例えば、検知部２５０を用いて、情報処理装置２００が使用される環境の照度を検出する（図５（Ｂ）（Ｓ６）参照）。なお、環境の照度に代えて環境光の色温度や色度を検出してもよい。
【０１４０】
［第７のステップ］
第７のステップにおいて、検出した照度情報に基づいて表示方法を決定する。例えば、照度が所定の値以上の場合に、第１の表示方法に決定し、照度が所定の値未満の場合、第２の表示方法に決定する。または、照度が所定の範囲の場合、第３の表示方法に決定してもよい（図５（Ｂ）（Ｓ７）参照）。
【０１４１】
具体的には、照度が１０万ルクス以上の場合、第１の表示方法に決定し、照度が５千ルクス未満の場合、第２の表示方法に決定し、照度が１０万ルクス未満５千ルクス以上の場合、第３の表示方法に決定してもよい。
【０１４２】
なお、第６のステップにおいて環境光の色温度や環境光の色度を検出した場合は、第３の表示方法において第２の表示素子５５０（ｉ，ｊ）を用いて、表示の色味を調節してもよい。
【０１４３】
例えば、第１の表示方法を用いる場合は、第１のステータスの制御情報を供給し、第２の表示方法を用いる場合は、第２のステータスの制御情報を供給し、第３の表示方法を用いる場合は、第３のステータスの制御情報を供給する。これにより、表示ユニットは、制御情報に基づいて、表示方法を変更することができる。
【０１４４】
［第８のステップ］
第８のステップにおいて、割り込み処理を終了する（図５（Ｂ）（Ｓ８）参照）。
【０１４５】
＜入出力装置の構成例２．＞
本発明の一態様の入出力装置の別の構成について、図３（Ｂ）を参照しながら説明する。図３（Ｂ）は図２に示す切断線Ｗ１−Ｗ２における本発明の一態様の入出力ユニットの断面図である。
【０１４６】
なお、入出力装置の構成例２は、検知部２５０が筐体２０１に配置されている点が、図３（Ａ）を参照しながら説明する入出力ユニットとは異なる。
【０１４７】
なお、本実施の形態は、本明細書で示す他の実施の形態と適宜組み合わせることができる。
【０１４８】
（実施の形態２）
本実施の形態では、実施の形態１において説明する入出力装置に用いることができる表示パネル７００の構成について、図４乃至図１１を参照しながら説明する。
【０１４９】
図６は本発明の一態様の入出力装置または表示装置に用いることができる表示パネルの構成を説明する図である。図６（Ａ）は表示パネルの上面図であり、図６（Ｂ）は図６（Ａ）に示す表示パネルの画素の一部を説明する上面図である。図６（Ｃ）は図６（Ｂ）に示す画素の構成を説明する模式図である。
【０１５０】
図７および図８は表示パネルの構成を説明する断面図である。図７（Ａ）は図６（Ａ）の切断線Ｘ１−Ｘ２、切断線Ｘ３−Ｘ４、切断線Ｘ５−Ｘ６における断面図であり、図７（Ｂ）は図７（Ａ）の一部を説明する図である。
【０１５１】
図８（Ａ）は図６（Ａ）の切断線Ｘ７−Ｘ８、切断線Ｘ９−Ｘ１０における断面図であり、図８（Ｂ）は図８（Ａ）の一部を説明する図である。
【０１５２】
図９（Ａ）は図６（Ｂ）に示す表示パネルの画素の一部を説明する下面図であり、図９（Ｂ）は図９（Ａ）に示す構成の一部を省略して説明する下面図である。
【０１５３】
図１０は本発明の一態様の表示パネルが備える画素回路の構成を説明する回路図である。
【０１５４】
図１１は本発明の一態様の表示パネルに用いることができる反射膜の構成を説明する図である。図１１（Ａ）乃至図１１（Ｃ）は反射膜の上面の模式図である。図１１（Ｄ−１）は反射膜の上面図であり、図１１（Ｄ−２）は図１１（Ｄ−１）に示す切断線Ｙ１−Ｙ２における反射の断面図である。図１１（Ｅ−１）は図１１（Ｄ−１）に示す反射膜とは異なる構成の反射膜の上面図であり、図１１（Ｅ−２）は図１１（Ｅ−１）に示す切断線Ｙ１−Ｙ２における反射の断面図である。
【０１５５】
＜表示パネルの構成例＞
本実施の形態で説明する表示パネル７００は、表示領域２３１を有する（図４（Ａ）参照）。また、表示パネル７００は、駆動回路ＧＤまたは駆動回路ＳＤを備えることができる。
【０１５６】
《表示領域２３１》
表示領域２３１は、一群の複数の画素７０２（ｉ，１）乃至画素７０２（ｉ，ｎ）と、他の一群の複数の画素７０２（１，ｊ）乃至画素７０２（ｍ，ｊ）と、走査線Ｇ１（ｉ）と、信号線Ｓ１（ｉ）と、を有する（図４（Ａ）または図１０参照）。また、走査線Ｇ２（ｉ）と、配線ＣＳＣＯＭと、導電膜ＡＮＯと、信号線Ｓ２（ｊ）と、を有する。なお、ｉは１以上ｍ以下の整数であり、ｊは１以上ｎ以下の整数であり、ｍおよびｎは１以上の整数である。
【０１５７】
一群の複数の画素７０２（ｉ，１）乃至画素７０２（ｉ，ｎ）は画素７０２（ｉ，ｊ）を含み、一群の複数の画素７０２（ｉ，１）乃至画素７０２（ｉ，ｎ）は行方向（図中に矢印Ｒ１で示す方向）に配設される。
【０１５８】
他の一群の複数の画素７０２（１，ｊ）乃至画素７０２（ｍ，ｊ）は画素７０２（ｉ，ｊ）を含み、他の一群の複数の画素７０２（１，ｊ）乃至画素７０２（ｍ，ｊ）は行方向と交差する列方向（図中に矢印Ｃ１で示す方向）に配設される。
【０１５９】
走査線Ｇ１（ｉ）および走査線Ｇ２（ｉ）は、行方向に配設される一群の複数の画素７０２（ｉ，１）乃至画素７０２（ｉ，ｎ）と電気的に接続される。
【０１６０】
信号線Ｓ１（ｊ）および信号線Ｓ２（ｊ）は、列方向に配設される他の一群の複数の画素７０２（１，ｊ）乃至画素７０２（ｍ，ｊ）と電気的に接続される。
【０１６１】
《駆動回路ＧＤ》
駆動回路ＧＤは、制御情報に基づいて選択信号を供給する機能を有する。
【０１６２】
一例を挙げれば、制御情報に基づいて、３０Ｈｚ以上、好ましくは６０Ｈｚ以上の頻度で一の走査線に選択信号を供給する機能を備える。これにより、動画像をなめらかに表示することができる。
【０１６３】
例えば、制御情報に基づいて、３０Ｈｚ未満、好ましくは１Ｈｚ未満より好ましくは一分に一回未満の頻度で一の走査線に選択信号を供給する機能を備える。これにより、フリッカーが抑制された状態で静止画像を表示することができる。
【０１６４】
《駆動回路ＳＤ》
駆動回路ＳＤは、駆動回路ＳＤ１と、駆動回路ＳＤ２と、を有する。駆動回路ＳＤ１は、情報Ｖ１１に基づいて画像信号を供給する機能を有し、駆動回路ＳＤ２は、情報Ｖ１２に基づいて画像信号を供給する機能を有する（図４参照）。
【０１６５】
駆動回路ＳＤ１または駆動回路ＳＤ２は、画像信号を生成する機能と、当該画像信号を一の表示素子と電気的に接続される画素回路に供給する機能を備える。具体的には、極性が反転する信号を生成する機能を備える。これにより、例えば、液晶表示素子を駆動することができる。
【０１６６】
例えば、シフトレジスタ等のさまざまな順序回路等を駆動回路ＳＤに用いることができる。
【０１６７】
例えば、駆動回路ＳＤ１および駆動回路ＳＤ２が集積された集積回路を、駆動回路ＳＤに用いることができる。具体的には、シリコン基板上に形成された集積回路を駆動回路ＳＤに用いることができる。
【０１６８】
例えば、ＣＯＧ（Ｃｈｉｐ  ｏｎ  ｇｌａｓｓ）法またはＣＯＦ（Ｃｈｉｐ  ｏｎ  Ｆｉｌｍ）法を用いて、集積回路を端子に実装することができる。具体的には、異方性導電膜を用いて、集積回路を端子に実装することができる。
【０１６９】
＜画素の構成例＞
画素７０２（ｉ，ｊ）は、第１の表示素子７５０（ｉ，ｊ）、第２の表示素子５５０（ｉ，ｊ）および機能層５２０の一部を備える（図６（Ｃ）、図７（Ａ）および図８（Ａ）参照）。
【０１７０】
《機能層》
機能層５２０は、第１の導電膜と、第２の導電膜と、絶縁膜５０１Ｃと、画素回路５３０（ｉ，ｊ）と、を含む（図７（Ａ）、図７（Ｂ）および図１０参照）。また、機能層５２０は、絶縁膜５２１と、絶縁膜５１８および絶縁膜５１６を含む。
【０１７１】
なお、機能層５２０は、基板５７０および基板７７０の間に挟まれる領域を備える。
【０１７２】
《絶縁膜５０１Ｃ》
絶縁膜５０１Ｃは、第１の導電膜および第２の導電膜の間に挟まれる領域を備え、絶縁膜５０１Ｃは開口部５９１Ａを備える（図８（Ａ）参照）。また、絶縁膜５０１Ｃは開口部５９１Ｃを備える。
【０１７３】
《第１の導電膜》
第１の導電膜は、第１の表示素子と電気的に接続される。具体的には、第１の電極７５１（ｉ，ｊ）と電気的に接続される。なお、第１の表示素子７５０（ｉ，ｊ）の第１の電極７５１（ｉ，ｊ）を、第１の導電膜に用いることができる。
【０１７４】
《第２の導電膜》
第２の導電膜は、第１の導電膜と重なる領域を備える。第２の導電膜は、開口部５９１Ａにおいて第１の導電膜と電気的に接続される。例えば、導電膜５１２Ｂを第２の導電膜に用いることができる。ところで、絶縁膜５０１Ｃに設けられた開口部５９１Ａにおいて第２の導電膜と電気的に接続される第１の導電膜を、貫通電極ということができる。
【０１７５】
第２の導電膜は、画素回路５３０（ｉ，ｊ）と電気的に接続される。例えば、画素回路５３０（ｉ，ｊ）のスイッチＳＷ１に用いるトランジスタのソース電極またはドレイン電極として機能する導電膜を、第２の導電膜に用いることができる。
【０１７６】
《画素回路》
画素回路５３０（ｉ，ｊ）は、第１の表示素子７５０（ｉ，ｊ）および第２の表示素子５５０（ｉ，ｊ）を駆動する機能を備える（図１０参照）。
【０１７７】
これにより、例えば同一の工程を用いて形成することができる画素回路を用いて、第１の表示素子と、第１の表示素子とは異なる方法を用いて表示をする第２の表示素子と、を駆動することができる。具体的には、反射型の表示素子を第１の表示素子に用いて、消費電力を低減することができる。または、外光が明るい環境下において高いコントラストで画像情報を良好に表示することができる。または、光を射出する第２の表示素子を用いて、暗い環境下において、画像情報を良好に表示することができる。または、絶縁膜を用いて、第１の表示素子および第２の表示素子の間または第１の表示素子および画素回路の間における不純物の拡散を抑制することができる。その結果、利便性に優れた新規な表示装置を提供することができる。
【０１７８】
スイッチ、トランジスタ、ダイオード、抵抗素子、インダクタまたは容量素子等を画素回路５３０（ｉ，ｊ）に用いることができる。
【０１７９】
例えば、単数または複数のトランジスタをスイッチに用いることができる。または、並列に接続された複数のトランジスタ、直列に接続された複数のトランジスタ、直列と並列が組み合わされて接続された複数のトランジスタを、一のスイッチに用いることができる。
【０１８０】
例えば、画素回路５３０（ｉ，ｊ）は、信号線Ｓ１（ｊ）、信号線Ｓ２（ｊ）、走査線Ｇ１（ｉ）、走査線Ｇ２（ｉ）、配線ＣＳＣＯＭおよび第３の導電膜ＡＮＯと電気的に接続される（図１０参照）。なお、導電膜５１２Ａは、信号線Ｓ１（ｊ）と電気的に接続される（図８（Ａ）および図１０参照）。
【０１８１】
画素回路５３０（ｉ，ｊ）は、スイッチＳＷ１、容量素子Ｃ１１を含む（図１０参照）。
【０１８２】
画素回路５３０（ｉ，ｊ）は、スイッチＳＷ２、トランジスタＭおよび容量素子Ｃ１２を含む。
【０１８３】
例えば、走査線Ｇ１（ｉ）と電気的に接続されるゲート電極と、信号線Ｓ１（ｊ）と電気的に接続される第１の電極と、を有するトランジスタを、スイッチＳＷ１に用いることができる。
【０１８４】
容量素子Ｃ１１は、スイッチＳＷ１に用いるトランジスタの第２の電極と電気的に接続される第１の電極と、配線ＣＳＣＯＭと電気的に接続される第２の電極と、を有する。
【０１８５】
例えば、走査線Ｇ２（ｉ）と電気的に接続されるゲート電極と、信号線Ｓ２（ｊ）と電気的に接続される第１の電極と、を有するトランジスタを、スイッチＳＷ２に用いることができる。
【０１８６】
トランジスタＭは、スイッチＳＷ２に用いるトランジスタの第２の電極と電気的に接続されるゲート電極と、第３の導電膜ＡＮＯと電気的に接続される第１の電極と、を有する。
【０１８７】
なお、半導体膜をゲート電極との間に挟むように設けられた導電膜を備えるトランジスタを、トランジスタＭに用いることができる。例えば、トランジスタＭのゲート電極と同じ電位を供給することができる配線と電気的に接続される導電膜を当該導電膜に用いることができる。
【０１８８】
容量素子Ｃ１２は、スイッチＳＷ２に用いるトランジスタの第２の電極と電気的に接続される第１の電極と、トランジスタＭの第１の電極と電気的に接続される第２の電極と、を有する。
【０１８９】
なお、第１の表示素子７５０（ｉ，ｊ）の第１の電極を、スイッチＳＷ１に用いるトランジスタの第２の電極と電気的に接続する。また、第１の表示素子７５０（ｉ，ｊ）の第２の電極を、配線ＶＣＯＭ１と電気的に接続する。これにより、第１の表示素子７５０を駆動することができる。
【０１９０】
また、第２の表示素子５５０（ｉ，ｊ）の第３の電極５５１（ｉ，ｊ）をトランジスタＭの第２の電極と電気的に接続し、第２の表示素子５５０（ｉ，ｊ）の第４の電極５５２を第４の導電膜ＶＣＯＭ２と電気的に接続する。これにより、第２の表示素子５５０（ｉ，ｊ）を駆動することができる。
【０１９１】
《第１の表示素子７５０（ｉ，ｊ）》
例えば、光の反射または透過を制御する機能を備える表示素子を、第１の表示素子７５０（ｉ，ｊ）に用いることができる。具体的には、反射型の液晶表示素子を第１の表示素子７５０（ｉ，ｊ）に用いることができる。または、シャッター方式のＭＥＭＳ表示素子、光干渉方式のＭＥＭＳ表示素子等を用いることができる。反射型の表示素子を用いることにより、表示パネルの消費電力を抑制することができる。または、例えば、マイクロカプセル方式、電気泳動方式、エレクトロウェッティング方式などを用いる表示素子を、第１の表示素子７５０（ｉ，ｊ）に用いることができる。
【０１９２】
第１の表示素子７５０（ｉ，ｊ）は、第１の電極７５１（ｉ，ｊ）、第２の電極７５２および液晶材料を含む層７５３を備える。第２の電極７５２は、第１の電極７５１（ｉ，ｊ）との間に液晶材料の配向を制御する電界が形成されるように配置される（図７（Ａ）および図８（Ａ）参照）。
【０１９３】
なお、第１の表示素子７５０（ｉ，ｊ）は、配向膜ＡＦ１および配向膜ＡＦ２を備える。配向膜ＡＦ２は、配向膜ＡＦ１との間に液晶材料を含む層７５３を挟む領域を備える。
【０１９４】
《第２の表示素子５５０（ｉ，ｊ）》
第２の表示素子５５０（ｉ，ｊ）は、絶縁膜５０１Ｃに向けて光を射出する機能を備える（図７（Ａ）参照）。
【０１９５】
第２の表示素子５５０（ｉ，ｊ）は、第１の表示素子７５０（ｉ，ｊ）を視認できる範囲の一部において視認できるように配設される。例えば、外光を反射する強度を制御して画像情報を表示する第１の表示素子７５０（ｉ，ｊ）に外光が入射し反射する方向を、破線の矢印で図中に示す（図８（Ａ）参照）。また、第１の表示素子７５０（ｉ，ｊ）を視認できる範囲の一部に第２の表示素子５５０（ｉ，ｊ）が光を射出する方向を、実線の矢印で図中に示す（図７（Ａ）参照）。
【０１９６】
これにより、第１の表示素子を用いた表示を視認することができる領域の一部において、第２の表示素子を用いた表示を視認することができる。または、表示パネルの姿勢等を変えることなく使用者は表示を視認することができる。その結果、利便性に優れた新規な表示パネルを提供することができる。
【０１９７】
また、第１の表示素子７５０（ｉ，ｊ）と第２の表示素子５５０（ｉ，ｊ）とを表示に用いると、物体が反射する色と、物体が発光する色と、第２の電極７５２および第１の電極７５１（ｉ，ｊ）の間等で反射された光の色と、が掛け合わされる。これにより、絵画的な表示をすることができる。
【０１９８】
第２の表示素子５５０（ｉ，ｊ）は、第３の電極５５１（ｉ，ｊ）と、第４の電極５５２と、発光性の材料を含む層５５３（ｊ）と、を備える（図７（Ａ）参照）。
【０１９９】
第４の電極５５２は、第３の電極５５１（ｉ，ｊ）と重なる領域を備える。
【０２００】
発光性の材料を含む層５５３（ｊ）は、第３の電極５５１（ｉ，ｊ）および第４の電極５５２の間に挟まれる領域を備える。
【０２０１】
第３の電極５５１（ｉ，ｊ）は、接続部５２２において、画素回路５３０（ｉ，ｊ）と電気的に接続される。なお、第３の電極５５１（ｉ，ｊ）は、第３の導電膜ＡＮＯと電気的に接続され、第４の電極５５２は、第４の導電膜ＶＣＯＭ２と電気的に接続される（図１０参照）。
【０２０２】
《絶縁膜５０１Ｂ》
また、本実施の形態で説明する表示パネルは、絶縁膜５０１Ｂを有する（図７（Ａ）参照）。
【０２０３】
絶縁膜５０１Ｂは、第１の開口部５９２Ａ、第２の開口部５９２Ｂおよび開口部５９２Ｃを備える（図７（Ａ）または図８（Ａ）参照）。
【０２０４】
第１の開口部５９２Ａは、第１の電極７５１（ｉ，ｊ）と重なる領域または絶縁膜５０１Ｃと重なる領域を備える。
【０２０５】
第２の開口部５９２Ｂは、導電膜５１１Ｂと重なる領域を備える。
【０２０６】
また、開口部５９２Ｃは、導電膜５１１Ｃと重なる領域を備える。
【０２０７】
《絶縁膜５２１、絶縁膜５２８、絶縁膜５１８、絶縁膜５１６等》
絶縁膜５２１は、画素回路５３０（ｉ，ｊ）および第２の表示素子５５０（ｉ，ｊ）の間に挟まれる領域を備える。
【０２０８】
絶縁膜５２８は、絶縁膜５２１および基板５７０の間に挟まれる領域を備え、第２の表示素子５５０（ｉ，ｊ）と重なる領域に開口部を備える。第３の電極５５１（ｉ，ｊ）の周縁に沿って形成される絶縁膜５２８は、第３の電極５５１（ｉ，ｊ）および第４の電極の短絡を防止する。
【０２０９】
絶縁膜５１８は、絶縁膜５２１および画素回路５３０（ｉ，ｊ）の間に挟まれる領域を備える。
【０２１０】
絶縁膜５１６は、絶縁膜５１８および画素回路５３０（ｉ，ｊ）の間に挟まれる領域を備える。
【０２１１】
《端子等》
また、本実施の形態で説明する表示パネルは、端子５１９Ｂおよび端子５１９Ｃを有する。
【０２１２】
端子５１９Ｂは、導電膜５１１Ｂを備える。端子５１９Ｂは、例えば信号線Ｓ１（ｊ）と電気的に接続される。
【０２１３】
端子５１９Ｃは、導電膜５１１Ｃを備える。導電膜５１１Ｃは、例えば配線ＶＣＯＭ１と電気的に接続される。
【０２１４】
導電材料ＣＰは、端子５１９Ｃと第２の電極７５２の間に挟まれ、端子５１９Ｃと第２の電極７５２を電気的に接続する機能を備える。例えば、導電性の粒子を導電材料ＣＰに用いることができる。
【０２１５】
《基板等》
また、本実施の形態で説明する表示パネルは、基板５７０と、基板７７０と、を有する。
【０２１６】
基板７７０は、基板５７０と重なる領域を備える。基板７７０は、基板５７０との間に機能層５２０を挟む領域を備える。
【０２１７】
基板７７０は、第１の表示素子７５０（ｉ，ｊ）と重なる領域を備える。例えば、複屈折が抑制された材料を当該領域に用いることができる。
【０２１８】
《接合層、封止材、構造体等》
また、本実施の形態で説明する表示パネルは、接合層５０５と、封止材７０５と、構造体ＫＢ１と、を有する。
【０２１９】
接合層５０５は、機能層５２０および基板５７０の間に挟まれる領域を備え、機能層５２０および基板５７０を貼り合せる機能を備える。
【０２２０】
封止材７０５は、機能層５２０および基板７７０の間に挟まれる領域を備え、機能層５２０および基板７７０を貼り合わせる機能を備える。
【０２２１】
構造体ＫＢ１は、機能層５２０および基板７７０の間に所定の間隙を設ける機能を備える。
【０２２２】
《機能膜等》
また、本実施の形態で説明する表示パネルは、遮光膜ＢＭと、絶縁膜７７１と、着色膜ＣＦ１と、着色膜ＣＦ２と、を有する（図７（Ａ）または図８（Ａ）参照）。
【０２２３】
また、機能膜７７０Ｐと、機能膜７７０Ｄと、を有する。
【０２２４】
遮光膜ＢＭは、第１の表示素子７５０（ｉ，ｊ）と重なる領域に開口部を備える。
【０２２５】
着色膜ＣＦ１は、基板７７０および第１の表示素子７５０（ｉ，ｊ）の間に挟まれる領域を備える。
【０２２６】
着色膜ＣＦ２は、絶縁膜５０１Ｃおよび第２の表示素子５５０（ｉ，ｊ）の間に挟まれる領域を備え、第２の表示素子５５０（ｉ，ｊ）が射出する光を遮らない領域７５１Ｈと重なる領域を備える。
【０２２７】
絶縁膜７７１は、着色膜ＣＦ１と液晶材料を含む層７５３の間に挟まれる領域または遮光膜ＢＭと液晶材料を含む層７５３の間に挟まれる領域を備える。これにより、着色膜ＣＦ１の厚さに基づく凹凸を平坦にすることができる。または、遮光膜ＢＭまたは着色膜ＣＦ１等から液晶材料を含む層７５３への不純物の拡散を、抑制することができる。
【０２２８】
機能膜７７０Ｐは、第１の表示素子７５０（ｉ，ｊ）と重なる領域を備える。
【０２２９】
機能膜７７０Ｄは、第１の表示素子７５０（ｉ，ｊ）と重なる領域を備える。機能膜７７０Ｄは、第１の表示素子７５０（ｉ，ｊ）との間に基板７７０を挟むように配設される。これにより、例えば、第１の表示素子７５０（ｉ，ｊ）が反射する光を拡散することができる。
【０２３０】
＜構成要素の例＞
表示パネル７００は、基板５７０、基板７７０、構造体ＫＢ１、封止材７０５または接合層５０５を有する。
【０２３１】
また、表示パネル７００は、機能層５２０、絶縁膜５２１または絶縁膜５２８を有する。
【０２３２】
また、表示パネル７００は、信号線Ｓ１（ｊ）、信号線Ｓ２（ｊ）、走査線Ｇ１（ｉ）、走査線Ｇ２（ｉ）、配線ＣＳＣＯＭまたは第３の導電膜ＡＮＯを有する。
【０２３３】
また、表示パネル７００は、第１の導電膜または第２の導電膜を有する。
【０２３４】
また、表示パネル７００は、端子５１９Ｂ、端子５１９Ｃ、導電膜５１１Ｂまたは導電膜５１１Ｃを有する。
【０２３５】
また、表示パネル７００は、画素回路５３０（ｉ，ｊ）またはスイッチＳＷ１を有する。
【０２３６】
また、表示パネル７００は、第１の表示素子７５０（ｉ，ｊ）、第１の電極７５１（ｉ，ｊ）、反射膜、開口部、液晶材料を含む層７５３または第２の電極７５２を有する。
【０２３７】
また、表示パネル７００は、配向膜ＡＦ１、配向膜ＡＦ２、着色膜ＣＦ１、着色膜ＣＦ２、遮光膜ＢＭ、絶縁膜７７１、機能膜７７０Ｐまたは機能膜７７０Ｄを有する。
【０２３８】
また、表示パネル７００は、第２の表示素子５５０（ｉ，ｊ）、第３の電極５５１（ｉ，ｊ）、第４の電極５５２または発光性の材料を含む層５５３（ｊ）を有する。
【０２３９】
また、表示パネル７００は、絶縁膜５０１Ｂおよび絶縁膜５０１Ｃを有する。
【０２４０】
また、表示パネル７００は、駆動回路ＧＤまたは駆動回路ＳＤを有する。
【０２４１】
《基板５７０》
作製工程中の熱処理に耐えうる程度の耐熱性を有する材料を基板５７０等に用いることができる。例えば、厚さ０．７ｍｍ以下厚さ０．１ｍｍ以上の材料を基板５７０に用いることができる。具体的には、厚さ０．１ｍｍ程度まで研磨した材料を用いることができる。
【０２４２】
例えば、第６世代（１５００ｍｍ×１８５０ｍｍ）、第７世代（１８７０ｍｍ×２２００ｍｍ）、第８世代（２２００ｍｍ×２４００ｍｍ）、第９世代（２４００ｍｍ×２８００ｍｍ）、第１０世代（２９５０ｍｍ×３４００ｍｍ）等の面積が大きなガラス基板を基板５７０等に用いることができる。これにより、大型の表示装置を作製することができる。
【０２４３】
有機材料、無機材料または有機材料と無機材料等の複合材料等を基板５７０等に用いることができる。例えば、ガラス、セラミックス、金属等の無機材料を基板５７０等に用いることができる。
【０２４４】
具体的には、無アルカリガラス、ソーダ石灰ガラス、カリガラス、クリスタルガラス、アルミノ珪酸ガラス、強化ガラス、化学強化ガラス、石英またはサファイア等を、基板５７０等に用いることができる。具体的には、無機酸化物膜、無機窒化物膜または無機酸窒化物膜等を、基板５７０等に用いることができる。例えば、酸化シリコン膜、窒化シリコン膜、酸化窒化シリコン膜、酸化アルミニウム膜等を、基板５７０等に用いることができる。ステンレス・スチールまたはアルミニウム等を、基板５７０等に用いることができる。
【０２４５】
例えば、シリコンや炭化シリコンからなる単結晶半導体基板、多結晶半導体基板、シリコンゲルマニウム等の化合物半導体基板、ＳＯＩ基板等を基板５７０等に用いることができる。これにより、半導体素子を基板５７０等に形成することができる。
【０２４６】
例えば、樹脂、樹脂フィルムまたはプラスチック等の有機材料を基板５７０等に用いることができる。具体的には、ポリエステル、ポリオレフィン、ポリアミド、ポリイミド、ポリカーボネートまたはアクリル樹脂等の樹脂フィルムまたは樹脂板を、基板５７０等に用いることができる。
【０２４７】
例えば、金属板、薄板状のガラス板または無機材料等の膜を樹脂フィルム等に貼り合わせた複合材料を基板５７０等に用いることができる。例えば、繊維状または粒子状の金属、ガラスもしくは無機材料等を樹脂フィルムに分散した複合材料を、基板５７０等に用いることができる。例えば、繊維状または粒子状の樹脂もしくは有機材料等を無機材料に分散した複合材料を、基板５７０等に用いることができる。
【０２４８】
また、単層の材料または複数の層が積層された材料を、基板５７０等に用いることができる。例えば、基材と基材に含まれる不純物の拡散を防ぐ絶縁膜等が積層された材料を、基板５７０等に用いることができる。具体的には、ガラスとガラスに含まれる不純物の拡散を防ぐ酸化シリコン層、窒化シリコン層または酸化窒化シリコン層等から選ばれた一または複数の膜が積層された材料を、基板５７０等に用いることができる。または、樹脂と樹脂を透過する不純物の拡散を防ぐ酸化シリコン膜、窒化シリコン膜または酸化窒化シリコン膜等が積層された材料を、基板５７０等に用いることができる。
【０２４９】
具体的には、ポリエステル、ポリオレフィン、ポリアミド、ポリイミド、ポリカーボネート若しくはアクリル樹脂等の樹脂フィルム、樹脂板または積層材料等を基板５７０等に用いることができる。
【０２５０】
具体的には、ポリエステル、ポリオレフィン、ポリアミド（ナイロン、アラミド等）、ポリイミド、ポリカーボネート、ポリウレタン、アクリル樹脂、エポキシ樹脂もしくはシリコーン等のシロキサン結合を有する樹脂を含む材料を基板５７０等に用いることができる。
【０２５１】
具体的には、ポリエチレンテレフタレート（ＰＥＴ）、ポリエチレンナフタレート（ＰＥＮ）、ポリエーテルサルフォン（ＰＥＳ）またはアクリル等を基板５７０等に用いることができる。または、シクロオレフィンポリマー（ＣＯＰ）、シクロオレフィンコポリマー（ＣＯＣ）等を用いることができる。
【０２５２】
また、紙または木材などを基板５７０等に用いることができる。
【０２５３】
例えば、可撓性を有する基板を基板５７０等に用いることができる。
【０２５４】
なお、トランジスタまたは容量素子等を基板に直接形成する方法を用いることができる。また、例えば作製工程中に加わる熱に耐熱性を有する工程用の基板にトランジスタまたは容量素子等を形成し、形成されたトランジスタまたは容量素子等を基板５７０等に転置する方法を用いることができる。これにより、例えば可撓性を有する基板にトランジスタまたは容量素子等を形成できる。
【０２５５】
《基板７７０》
例えば、基板５７０に用いることができる材料を基板７７０に用いることができる。例えば、基板５７０に用いることができる材料から選択された透光性を備える材料を、基板７７０に用いることができる。または、基板５７０に用いることができる材料から選択された複屈折が抑制された材料を、基板７７０に用いることができる。
【０２５６】
例えば、アルミノ珪酸ガラス、強化ガラス、化学強化ガラスまたはサファイア等を、表示パネルの使用者に近い側に配置される基板７７０に好適に用いることができる。これにより、使用に伴う表示パネルの破損や傷付きを防止することができる。
【０２５７】
例えば、シクロオレフィンポリマー（ＣＯＰ）、シクロオレフィンコポリマー（ＣＯＣ）、トリアセチルセルロース（ＴＡＣ）等の樹脂フィルムを、基板７７０に好適に用いることができる。これにより、重量を低減することができる。または、例えば、落下に伴う破損等の発生頻度を低減することができる。
【０２５８】
また、例えば、厚さ０．７ｍｍ以下厚さ０．１ｍｍ以上の材料を基板７７０に用いることができる。具体的には、厚さを薄くするために研磨した基板を用いることができる。これにより、機能膜７７０Ｄを第１の表示素子７５０（ｉ，ｊ）に近づけて配置することができる。その結果、画像のボケを低減し、画像を鮮明に表示することができる。
【０２５９】
《構造体ＫＢ１》
例えば、有機材料、無機材料または有機材料と無機材料の複合材料を構造体ＫＢ１等に用いることができる。これにより、所定の間隔を、構造体ＫＢ１等を挟む構成の間に設けることができる。
【０２６０】
具体的には、ポリエステル、ポリオレフィン、ポリアミド、ポリイミド、ポリカーボネート、ポリシロキサン若しくはアクリル樹脂等またはこれらから選択された複数の樹脂の複合材料などを構造体ＫＢ１に用いることができる。また、感光性を有する材料を用いて形成してもよい。
【０２６１】
《封止材７０５》
無機材料、有機材料または無機材料と有機材料の複合材料等を封止材７０５等に用いることができる。
【０２６２】
例えば、熱溶融性の樹脂または硬化性の樹脂等の有機材料を、封止材７０５等に用いることができる。
【０２６３】
例えば、反応硬化型接着剤、光硬化型接着剤、熱硬化型接着剤または／および嫌気型接着剤等の有機材料を封止材７０５等に用いることができる。
【０２６４】
具体的には、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等を含む接着剤を封止材７０５等に用いることができる。
【０２６５】
《接合層５０５》
例えば、封止材７０５に用いることができる材料を接合層５０５に用いることができる。
【０２６６】
《絶縁膜５２１》
例えば、絶縁性の無機材料、絶縁性の有機材料または無機材料と有機材料を含む絶縁性の複合材料を、絶縁膜５２１等に用いることができる。
【０２６７】
具体的には、無機酸化物膜、無機窒化物膜または無機酸化窒化物膜等またはこれらから選ばれた複数を積層した積層材料を、絶縁膜５２１等に用いることができる。例えば、酸化シリコン膜、窒化シリコン膜、酸化窒化シリコン膜、酸化アルミニウム膜等またはこれらから選ばれた複数を積層した積層材料を含む膜を、絶縁膜５２１等に用いることができる。
【０２６８】
具体的には、ポリエステル、ポリオレフィン、ポリアミド、ポリイミド、ポリカーボネート、ポリシロキサン若しくはアクリル樹脂等またはこれらから選択された複数の樹脂の積層材料もしくは複合材料などを絶縁膜５２１等に用いることができる。また、感光性を有する材料を用いて形成してもよい。
【０２６９】
これにより、例えば絶縁膜５２１と重なるさまざまな構造に由来する段差を平坦化することができる。
【０２７０】
《絶縁膜５２８》
例えば、絶縁膜５２１に用いることができる材料を絶縁膜５２８等に用いることができる。具体的には、厚さ１μｍのポリイミドを含む膜を絶縁膜５２８に用いることができる。
【０２７１】
《絶縁膜５０１Ｂ》
例えば、絶縁膜５２１に用いることができる材料を絶縁膜５０１Ｂに用いることができる。また、例えば、水素を供給する機能を備える材料を絶縁膜５０１Ｂに用いることができる。
【０２７２】
具体的には、シリコンおよび酸素を含む材料と、シリコンおよび窒素を含む材料と、を積層した材料を、絶縁膜５０１Ｂに用いることができる。例えば、加熱等により水素を放出し、放出した水素を他の構成に供給する機能を備える材料を、絶縁膜５０１Ｂに用いることができる。具体的には、作製工程中に取り込まれた水素を加熱等により放出し、他の構成に供給する機能を備える材料を絶縁膜５０１Ｂに用いることができる。
【０２７３】
例えば、原料ガスにシラン等を用いる化学気相成長法により形成されたシリコンおよび酸素を含む膜を、絶縁膜５０１Ｂに用いることができる。
【０２７４】
具体的には、シリコンおよび酸素を含む厚さ２００ｎｍ以上６００ｎｍ以下の材料と、シリコンおよび窒素を含む厚さ２００ｎｍ程度の材料と、を積層した材料を絶縁膜５０１Ｂに用いることができる。
【０２７５】
《絶縁膜５０１Ｃ》
例えば、絶縁膜５２１に用いることができる材料を絶縁膜５０１Ｃに用いることができる。具体的には、シリコンおよび酸素を含む材料を絶縁膜５０１Ｃに用いることができる。これにより、画素回路または第２の表示素子等への不純物の拡散を抑制することができる。
【０２７６】
例えば、シリコン、酸素および窒素を含む厚さ２００ｎｍの膜を絶縁膜５０１Ｃに用いることができる。
【０２７７】
《配線、端子、導電膜》
導電性を備える材料を配線等に用いることができる。具体的には、導電性を備える材料を、信号線Ｓ１（ｊ）、信号線Ｓ２（ｊ）、走査線Ｇ１（ｉ）、走査線Ｇ２（ｉ）、配線ＣＳＣＯＭ、第３の導電膜ＡＮＯ、端子５１９Ｂ、端子５１９Ｃ、導電膜５１１Ｂまたは導電膜５１１Ｃ等に用いることができる。
【０２７８】
例えば、無機導電性材料、有機導電性材料、金属または導電性セラミックスなどを配線等に用いることができる。
【０２７９】
具体的には、アルミニウム、金、白金、銀、銅、クロム、タンタル、チタン、モリブデン、タングステン、ニッケル、鉄、コバルト、パラジウムまたはマンガンから選ばれた金属元素などを、配線等に用いることができる。または、上述した金属元素を含む合金などを、配線等に用いることができる。特に、銅とマンガンの合金がウエットエッチング法を用いた微細加工に好適である。
【０２８０】
具体的には、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等を配線等に用いることができる。
【０２８１】
具体的には、酸化インジウム、インジウム錫酸化物、インジウム亜鉛酸化物、酸化亜鉛、ガリウムを添加した酸化亜鉛などの導電性酸化物を、配線等に用いることができる。
【０２８２】
具体的には、グラフェンまたはグラファイトを含む膜を配線等に用いることができる。
【０２８３】
例えば、酸化グラフェンを含む膜を形成し、酸化グラフェンを含む膜を還元することにより、グラフェンを含む膜を形成することができる。還元する方法としては、熱を加える方法や還元剤を用いる方法等を挙げることができる。
【０２８４】
例えば、金属ナノワイヤーを含む膜を配線等に用いることができる。具体的には、銀を含むナノワイヤーを用いることができる。
【０２８５】
具体的には、導電性高分子を配線等に用いることができる。
【０２８６】
なお、例えば、導電材料ＡＣＦ１を用いて、端子５１９Ｂとフレキシブルプリント基板ＦＰＣ１を電気的に接続することができる。
【０２８７】
《第１の導電膜、第２の導電膜》
例えば、配線等に用いることができる材料を第１の導電膜または第２の導電膜に用いることができる。
【０２８８】
また、第１の電極７５１（ｉ，ｊ）または配線等を第１の導電膜に用いることができる。
【０２８９】
また、スイッチＳＷ１に用いることができるトランジスタのソース電極またはドレイン電極として機能する導電膜５１２Ｂまたは配線等を第２の導電膜に用いることができる。
【０２９０】
《第１の表示素子７５０（ｉ，ｊ）》
例えば、光の反射または透過を制御する機能を備える表示素子を、第１の表示素子７５０（ｉ，ｊ）に用いることができる。例えば、液晶素子と偏光板を組み合わせた構成またはシャッター方式のＭＥＭＳ表示素子等を用いることができる。具体的には、反射型の液晶表示素子を第１の表示素子７５０（ｉ，ｊ）に用いることができる。反射型の表示素子を用いることにより、表示パネルの消費電力を抑制することができる。
【０２９１】
例えば、ＩＰＳ（Ｉｎ−Ｐｌａｎｅ−Ｓｗｉｔｃｈｉｎｇ）モード、ＴＮ（Ｔｗｉｓｔｅｄ  Ｎｅｍａｔｉｃ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モードなどの駆動方法を用いて駆動することができる液晶素子を用いることができる。
【０２９２】
また、例えば垂直配向（ＶＡ）モード、具体的には、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＣＰＡ（Ｃｏｎｔｉｎｕｏｕｓ  Ｐｉｎｗｈｅｅｌ  Ａｌｉｇｎｍｅｎｔ）モード、ＡＳＶ（Ａｄｖａｎｃｅｄ  Ｓｕｐｅｒ−Ｖｉｅｗ）モードなどの駆動方法を用いて駆動することができる液晶素子を用いることができる。
【０２９３】
第１の表示素子７５０（ｉ，ｊ）は、第１電極と、第２電極と、液晶材料を含む層と、を有する。液晶材料を含む層は、第１電極および第２電極の間の電圧を用いて配向を制御することができる液晶材料を含む。例えば、液晶材料を含む層の厚さ方向（縦方向ともいう）、縦方向と交差する方向（横方向または斜め方向ともいう）の電界を、液晶材料の配向を制御する電界に用いることができる。
【０２９４】
《液晶材料を含む層７５３》
例えば、サーモトロピック液晶、低分子液晶、高分子液晶、高分子分散型液晶、強誘電性液晶、反強誘電性液晶等を、液晶材料を含む層に用いることができる。または、コレステリック相、スメクチック相、キュービック相、カイラルネマチック相、等方相等を示す液晶材料を用いることができる。または、ブルー相を示す液晶材料を用いることができる。
【０２９５】
《第１の電極７５１（ｉ，ｊ）》
例えば、配線等に用いる材料を第１の電極７５１（ｉ，ｊ）に用いることができる。具体的には、反射膜を第１の電極７５１（ｉ，ｊ）に用いることができる。例えば、透光性を備える導電膜と、開口部を備える反射膜と、を積層した材料を第１の電極７５１（ｉ，ｊ）に用いることができる。
【０２９６】
《反射膜》
例えば、可視光を反射する材料を反射膜に用いることができる。具体的には、銀を含む材料を反射膜に用いることができる。例えば、銀およびパラジウム等を含む材料または銀および銅等を含む材料を反射膜に用いることができる。
【０２９７】
反射膜は、例えば、液晶材料を含む層７５３を透過してくる光を反射する。これにより、第１の表示素子７５０を反射型の液晶素子にすることができる。また、例えば、表面に凹凸を備える材料を、反射膜に用いることができる。これにより、入射する光をさまざまな方向に反射して、白色の表示をすることができる。
【０２９８】
例えば、第１の導電膜または第１の電極７５１（ｉ，ｊ）等を反射膜に用いることができる。
【０２９９】
例えば、液晶材料を含む層７５３と第１の電極７５１（ｉ，ｊ）の間に挟まれる領域を備える膜７５１（ｉ，ｊ）ｂを、反射膜に用いることができる（図１１（Ｄ−１）または図１１（Ｄ−２）参照）。または、液晶材料を含む層７５３との間に透光性を有する第１の電極７５１（ｉ，ｊ）を挟む領域を備える膜７５１（ｉ，ｊ）ｂを、反射膜に用いることができる（図１１（Ｅ−１）または図１１（Ｅ−２）参照）。
【０３００】
反射膜は、例えば第２の表示素子５５０（ｉ，ｊ）が射出する光を遮らない領域７５１Ｈが形成される形状を備える（図１１（Ａ）乃至図１１（Ｃ）参照）。
【０３０１】
例えば、単数または複数の開口部を備える形状を反射膜に用いることができる。具体的には、多角形、四角形、楕円形、円形または十字等の形状を領域７５１Ｈに用いることができる。また、細長い筋状、スリット状、市松模様状の形状を領域７５１Ｈに用いることができる。
【０３０２】
反射膜の総面積に対する領域７５１Ｈの総面積の比の値が大きすぎると、第１の表示素子７５０（ｉ，ｊ）を用いた表示が暗くなってしまう。
【０３０３】
また、反射膜の総面積に対する領域７５１Ｈの総面積の比の値が小さすぎると、第２の表示素子５５０（ｉ，ｊ）を用いた表示が暗くなってしまう。または、第２の表示素子５５０（ｉ，ｊ）の信頼性が損なわれてしまう場合がある。
【０３０４】
例えば、画素７０２（ｉ，ｊ＋１）に設けられた領域７５１Ｈは、画素７０２（ｉ，ｊ）に設けられた領域７５１Ｈを通る行方向（図中に矢印Ｒ１で示す方向）に延びる直線上に配設されない（図１１（Ａ）参照）。または、例えば、画素７０２（ｉ＋１，ｊ）に設けられた領域７５１Ｈは、画素７０２（ｉ，ｊ）に設けられた領域７５１Ｈを通る、列方向（図中に矢印Ｃ１で示す方向）に延びる直線上に配設されない（図１１（Ｂ）参照）。
【０３０５】
例えば、画素７０２（ｉ，ｊ＋２）に設けられた領域７５１Ｈは、画素７０２（ｉ，ｊ）に設けられた領域７５１Ｈを通る行方向に延びる直線上に配設される（図１１（Ａ）参照）。また、画素７０２（ｉ，ｊ＋１）に設けられた領域７５１Ｈは、画素７０２（ｉ，ｊ）に設けられた領域７５１Ｈおよび画素７０２（ｉ，ｊ＋２）に設けられた領域７５１Ｈの間において当該直線と直交する直線上に配設される。
【０３０６】
または、例えば、画素７０２（ｉ＋２，ｊ）に設けられた領域７５１Ｈは、画素７０２（ｉ，ｊ）に設けられた領域７５１Ｈを通る、列方向に延びる直線上に配設される（図１１（Ｂ）参照）。また、例えば、画素７０２（ｉ＋１，ｊ）に設けられた領域７５１Ｈは、画素７０２（ｉ，ｊ）に設けられた領域７５１Ｈおよび画素７０２（ｉ＋２，ｊ）に設けられた領域７５１Ｈの間において当該直線と直交する直線上に配設される。
【０３０７】
このように配置された光を遮らない領域に重なるように第２の表示素子を配設することにより、一の画素に隣接する他の画素の第２の素子を、一の画素の第２の表示素子から遠ざけることができる。または、一の画素に隣接する他の画素の第２の表示素子に、一の画素の第２の表示素子が表示する色とは異なる色を表示する表示素子を配設することができる。または、異なる色を表示する複数の表示素子を、隣接して配設する難易度を軽減することができる。その結果、利便性に優れた新規な表示パネルを提供することができる。
【０３０８】
または、領域７５１Ｈが形成されるように、端部が短く切除されたような形状を反射膜に用いることができる（図１１（Ｃ）参照）。具体的には、列方向（図中に矢印Ｃ１で示す方向）が短くなるように端部が切除された形状を用いることができる。
【０３０９】
《第２の電極７５２》
例えば、配線等に用いることができる材料を、第２の電極７５２に用いることができる。例えば、配線等に用いることができる材料から選択された、透光性を備える材料を、第２の電極７５２に用いることができる。
【０３１０】
例えば、導電性酸化物、光が透過する程度に薄い金属膜または金属ナノワイヤー等を第２の電極７５２に用いることができる。
【０３１１】
具体的には、インジウムを含む導電性酸化物を第２の電極７５２に用いることができる。または、厚さ１ｎｍ以上１０ｎｍ以下の金属薄膜を第２の電極７５２に用いることができる。また、銀を含む金属ナノワイヤーを第２の電極７５２に用いることができる。
【０３１２】
具体的には、酸化インジウム、インジウム錫酸化物、インジウム亜鉛酸化物、酸化亜鉛、ガリウムを添加した酸化亜鉛、アルミニウムを添加した酸化亜鉛などを、第２の電極７５２に用いることができる。
【０３１３】
《配向膜ＡＦ１、配向膜ＡＦ２》
例えば、ポリイミド等を含む材料を配向膜ＡＦ１または配向膜ＡＦ２に用いることができる。具体的には、液晶材料が所定の方向に配向するようにラビング処理された材料または光配向技術を用いて形成された材料を用いることができる。
【０３１４】
例えば、可溶性のポリイミドを含む膜を配向膜ＡＦ１または配向膜ＡＦ２に用いることができる。これにより、配向膜ＡＦ１を形成する際に必要とされる温度を低くすることができる。その結果、配向膜ＡＦ１を形成する際に他の構成に与える損傷を軽減することができる。
【０３１５】
《着色膜ＣＦ１、着色膜ＣＦ２》
所定の色の光を透過する材料を着色膜ＣＦ１または着色膜ＣＦ２に用いることができる。これにより、着色膜ＣＦ１または着色膜ＣＦ２を例えばカラーフィルターに用いることができる。例えば、青色、緑色または赤色の光を透過する材料を着色膜ＣＦ１または着色膜ＣＦ２に用いることができる。また、黄色の光または白色の光等を透過する材料を着色膜に用いることができる。
【０３１６】
なお、照射された光を所定の色の光に変換する機能を備える材料を着色膜ＣＦ２に用いることができる。具体的には、量子ドットを着色膜ＣＦ２に用いることができる。これにより、色純度の高い表示をすることができる。
【０３１７】
《遮光膜ＢＭ》
例えば、光の透過を抑制する材料を遮光膜ＢＭに用いることができる。これにより、遮光膜ＢＭを例えばブラックマトリクスに用いることができる。
【０３１８】
具体的には、顔料または染料を含む樹脂を遮光膜ＢＭに用いることができる。例えば、カーボンブラックを分散した樹脂を遮光膜に用いることができる。
【０３１９】
または、無機化合物、無機酸化物、複数の無機酸化物の固溶体を含む複合酸化物等を遮光膜ＢＭに用いることができる。具体的には、黒色クロム膜、酸化第２銅を含む膜、塩化銅または塩化テルルを含む膜を遮光膜ＢＭに用いることができる。
【０３２０】
《絶縁膜７７１》
例えば、ポリイミド、エポキシ樹脂、アクリル樹脂等を絶縁膜７７１に用いることができる。
【０３２１】
《機能膜７７０Ｐ、機能膜７７０Ｄ》
例えば、反射防止フィルム、偏光フィルム、位相差フィルム、光拡散フィルムまたは集光フィルム等を機能膜７７０Ｐまたは機能膜７７０Ｄに用いることができる。
【０３２２】
具体的には、２色性色素を含む膜を機能膜７７０Ｐまたは機能膜７７０Ｄに用いることができる。または、基材の表面と交差する方向に沿った軸を備える柱状構造を有する材料を、機能膜７７０Ｐまたは機能膜７７０Ｄに用いることができる。これにより、光を軸に沿った方向に透過し易く、他の方向に散乱し易くすることができる。
【０３２３】
また、ゴミの付着を抑制する帯電防止膜、汚れを付着しにくくする撥水性の膜、使用に伴う傷の発生を抑制するハードコート膜などを、機能膜７７０Ｐに用いることができる。
【０３２４】
具体的には、円偏光フィルムを機能膜７７０Ｐに用いることができる。また、光拡散フィルムを機能膜７７０Ｄに用いることができる。
【０３２５】
《第２の表示素子５５０（ｉ，ｊ）》
例えば、光を射出する機能を備える表示素子を第２の表示素子５５０（ｉ，ｊ）に用いることができる。具体的には、有機エレクトロルミネッセンス素子、無機エレクトロルミネッセンス素子、発光ダイオードまたはＱＤＬＥＤ（Ｑｕａｂｔｕｍｎ  Ｄｏｔ  ＬＥＤ）等を、第２の表示素子５５０（ｉ，ｊ）に用いることができる。
【０３２６】
例えば、発光性の有機化合物を発光性の材料を含む層５５３（ｊ）に用いることができる。
【０３２７】
例えば、量子ドットを発光性の材料を含む層５５３（ｊ）に用いることができる。これにより、半値幅が狭く、鮮やかな色の光を発することができる。
【０３２８】
例えば、青色の光を射出するように積層された積層材料、緑色の光を射出するように積層された積層材料または赤色の光を射出するように積層された積層材料等を、発光性の材料を含む層５５３（ｊ）に用いることができる。
【０３２９】
例えば、信号線Ｓ２（ｊ）に沿って列方向に長い帯状の積層材料を、発光性の材料を含む層５５３（ｊ）に用いることができる。
【０３３０】
また、例えば、白色の光を射出するように積層された積層材料を、発光性の材料を含む層５５３（ｊ）に用いることができる。具体的には、青色の光を射出する蛍光材料を含む発光性の材料を含む層と、緑色および赤色の光を射出する蛍光材料以外の材料を含む層または黄色の光を射出する蛍光材料以外の材料を含む層と、を積層した積層材料を、発光性の材料を含む層５５３（ｊ）に用いることができる。
【０３３１】
例えば、配線等に用いることができる材料を第３の電極５５１（ｉ，ｊ）に用いることができる。
【０３３２】
例えば、配線等に用いることができる材料から選択された、可視光について透光性を有する材料を、第３の電極５５１（ｉ，ｊ）に用いることができる。
【０３３３】
具体的には、導電性酸化物またはインジウムを含む導電性酸化物、酸化インジウム、インジウム錫酸化物、インジウム亜鉛酸化物、酸化亜鉛、ガリウムを添加した酸化亜鉛などを、第３の電極５５１（ｉ，ｊ）に用いることができる。または、光が透過する程度に薄い金属膜を第３の電極５５１（ｉ，ｊ）に用いることができる。または、光の一部を透過し、光の他の一部を反射する金属膜を第３の電極５５１（ｉ，ｊ）に用いることができる。これにより、微小共振器構造を第２の表示素子５５０（ｉ，ｊ）に設けることができる。その結果、所定の波長の光を他の光より効率よく取り出すことができる。
【０３３４】
例えば、配線等に用いることができる材料を第４の電極５５２に用いることができる。具体的には、可視光について反射性を有する材料を、第４の電極５５２に用いることができる。
【０３３５】
《駆動回路ＧＤ》
シフトレジスタ等のさまざまな順序回路等を駆動回路ＧＤに用いることができる。例えば、トランジスタＭＤ、容量素子等を駆動回路ＧＤに用いることができる。具体的には、スイッチＳＷ１に用いることができるトランジスタまたはトランジスタＭと同一の工程で形成することができる半導体膜を備えるトランジスタを用いることができる。
【０３３６】
例えば、スイッチＳＷ１に用いることができるトランジスタと異なる構成をトランジスタＭＤに用いることができる。具体的には、導電膜５２４を有するトランジスタをトランジスタＭＤに用いることができる（図７（Ｂ）参照）。
【０３３７】
なお、トランジスタＭと同一の構成を、トランジスタＭＤに用いることができる。
【０３３８】
《トランジスタ》
例えば、同一の工程で形成することができる半導体膜を駆動回路および画素回路のトランジスタに用いることができる。
【０３３９】
例えば、ボトムゲート型のトランジスタまたはトップゲート型のトランジスタなどを駆動回路のトランジスタまたは画素回路のトランジスタに用いることができる。
【０３４０】
ところで、例えば、アモルファスシリコンを半導体に用いるボトムゲート型のトランジスタの製造ラインは、酸化物半導体を半導体に用いるボトムゲート型のトランジスタの製造ラインに容易に改造できる。また、例えばポリシリコンを半導体に用いるトップゲート型の製造ラインは、酸化物半導体を半導体に用いるトップゲート型のトランジスタの製造ラインに容易に改造できる。いずれの改造も、既存の製造ラインを有効に活用することができる。
【０３４１】
例えば、１４族の元素を含む半導体を半導体膜に用いるトランジスタを利用することができる。具体的には、シリコンを含む半導体を半導体膜に用いることができる。例えば、単結晶シリコン、ポリシリコン、微結晶シリコンまたはアモルファスシリコンなどを半導体膜に用いたトランジスタを用いることができる。
【０３４２】
なお、半導体にポリシリコンを用いるトランジスタの作製に要する温度は、半導体に単結晶シリコンを用いるトランジスタに比べて低い。
【０３４３】
また、ポリシリコンを半導体に用いるトランジスタの電界効果移動度は、アモルファスシリコンを半導体に用いるトランジスタに比べて高い。これにより、画素の開口率を向上することができる。また、極めて高い精細度で設けられた画素と、ゲート駆動回路およびソース駆動回路を同一の基板上に形成することができる。その結果、電子機器を構成する部品数を低減することができる。
【０３４４】
ポリシリコンを半導体に用いるトランジスタの信頼性は、アモルファスシリコンを半導体に用いるトランジスタに比べて優れる。
【０３４５】
また、化合物半導体を用いるトランジスタを利用することができる。具体的には、ガリウムヒ素を含む半導体を半導体膜に用いることができる。
【０３４６】
また、有機半導体を用いるトランジスタを利用することができる。具体的には、ポリアセン類またはグラフェンを含む有機半導体を半導体膜に用いることができる。
【０３４７】
例えば、酸化物半導体を半導体膜に用いるトランジスタを利用することができる。具体的には、インジウムを含む酸化物半導体またはインジウムとガリウムと亜鉛を含む酸化物半導体を半導体膜に用いることができる。
【０３４８】
一例を挙げれば、オフ状態におけるリーク電流が、半導体膜にアモルファスシリコンを用いたトランジスタより小さいトランジスタを用いることができる。具体的には、酸化物半導体を半導体膜に用いたトランジスタを用いることができる。
【０３４９】
これにより、アモルファスシリコンを半導体膜に用いたトランジスタを利用する画素回路と比較して、画素回路が画像信号を保持することができる時間を長くすることができる。具体的には、フリッカーの発生を抑制しながら、選択信号を３０Ｈｚ未満、好ましくは１Ｈｚ未満より好ましくは一分に一回未満の頻度で供給することができる。その結果、情報処理装置の使用者に蓄積する疲労を低減することができる。また、駆動に伴う消費電力を低減することができる。
【０３５０】
例えば、半導体膜５０８、導電膜５０４、導電膜５１２Ａおよび導電膜５１２Ｂを備えるトランジスタをスイッチＳＷ１に用いることができる（図８（Ｂ）参照）。なお、絶縁膜５０６は、半導体膜５０８および導電膜５０４の間に挟まれる領域を備える。
【０３５１】
導電膜５０４は、半導体膜５０８と重なる領域を備える。導電膜５０４はゲート電極の機能を備える。絶縁膜５０６はゲート絶縁膜の機能を備える。
【０３５２】
導電膜５１２Ａおよび導電膜５１２Ｂは、半導体膜５０８と電気的に接続される。導電膜５１２Ａはソース電極の機能またはドレイン電極の機能の一方を備え、導電膜５１２Ｂはソース電極の機能またはドレイン電極の機能の他方を備える。
【０３５３】
また、導電膜５２４を有するトランジスタを、駆動回路または画素回路のトランジスタに用いることができる（図７（Ｂ）参照）。導電膜５２４は、導電膜５０４との間に半導体膜５０８を挟む領域を備える。なお、絶縁膜５１６は、導電膜５２４および半導体膜５０８の間に挟まれる領域を備える。また、例えば、導電膜５０４と同じ電位を供給する配線に導電膜５２４を電気的に接続することができる。
【０３５４】
例えば、タンタルおよび窒素を含む厚さ１０ｎｍの膜と、銅を含む厚さ３００ｎｍの膜と、を積層した導電膜を導電膜５０４に用いることができる。なお、銅を含む膜は、絶縁膜５０６との間に、タンタルおよび窒素を含む膜を挟む領域を備える。
【０３５５】
例えば、シリコンおよび窒素を含む厚さ４００ｎｍの膜と、シリコン、酸素および窒素を含む厚さ２００ｎｍの膜と、を積層した材料を絶縁膜５０６に用いることができる。なお、シリコンおよび窒素を含む膜は、半導体膜５０８との間に、シリコン、酸素および窒素を含む膜を挟む領域を備える。
【０３５６】
例えば、インジウム、ガリウムおよび亜鉛を含む厚さ２５ｎｍの膜を、半導体膜５０８に用いることができる。
【０３５７】
例えば、タングステンを含む厚さ５０ｎｍの膜と、アルミニウムを含む厚さ４００ｎｍの膜と、チタンを含む厚さ１００ｎｍの膜と、をこの順で積層した導電膜を、導電膜５１２Ａまたは導電膜５１２Ｂに用いることができる。なお、タングステンを含む膜は、半導体膜５０８と接する領域を備える。
【０３５８】
なお、本実施の形態は、本明細書で示す他の実施の形態と適宜組み合わせることができる。
【０３５９】
（実施の形態３）
本実施の形態では、本発明の一態様の情報処理装置の構成について、図１２を参照しながら説明する。
【０３６０】
図１２（Ａ）は本発明の一態様の情報処理装置の構成を説明するブロック図である。図１２（Ｂ）は、情報処理装置の外観の一例を説明する投影図である。
【０３６１】
＜情報処理装置の構成例＞
本実施の形態で説明する情報処理装置１２００は、入出力装置２２０と、入出力装置１２２０と、演算装置１２１０と、を有する（図１２（Ａ）参照）。入出力装置２２０および入出力装置１２２０は、演算装置１２１０と電気的に接続される。また、情報処理装置１２００は筐体１２０１を備えることができる（図１２（Ｂ）参照）。
【０３６２】
入出力装置２２０は、表示部２３０および入力部２４０を備える（図１２（Ａ）参照）。また、入出力装置２２０は検知部２５０を備える。例えば、実施の形態１で説明する入出力装置を入出力装置２２０に用いることができる。
【０３６３】
これにより、外光が明るい環境下において、入出力装置２２０の入出力ユニットに、高いコントラストで画像情報を良好に表示することができる。または、暗い環境下において、入出力装置２２０の入出力ユニットに、画像情報を良好に表示することができる。または、照度が高い領域に配置される入出力ユニットに画像情報を表示をすることができる。または、照度が低い領域に配置される入出力ユニットに画像情報を良好に表示をすることができる。または、照度が高い領域に配置される入出力ユニットが消費する電力を抑制することができる。または、照度が低い領域に配置される入出力ユニットにキャラクターを鮮やかには表示することができる。その結果、利便性に優れた新規な情報処理装置を提供することができる。
【０３６４】
入出力装置２２０は、画像情報Ｖ１または制御情報を供給される機能を備え、コードＰ１を供給する機能を備える。
【０３６５】
入出力装置１２２０は、表示部１２３０および入力部１２４０を備える。また、入出力装置１２２０は検知部１２５０または通信部１２９０を備えることができる。
【０３６６】
入出力装置１２２０は、画像情報Ｖ２を供給される機能を備え、位置情報Ｐ２または検知情報を供給する機能を備える。
【０３６７】
演算装置１２１０は位置情報Ｐ２または検知情報を供給させる機能を備える。演算装置１２１０は画像情報Ｖ１または画像情報Ｖ２を供給する機能を備える。演算装置１２１０は、例えば、コードＰ１、位置情報Ｐ２または検知情報に基づいて動作する機能を備える。
【０３６８】
なお、筐体１２０１は入出力装置１２２０または演算装置１２１０を収納する機能を備える。または、筐体１２０１は表示部１２３０または演算装置１２１０を支持する機能を備える。
【０３６９】
表示部１２３０は画像情報Ｖ２に基づいて画像を表示する機能を備える。表示部１２３０は制御情報に基づいて画像を表示する機能を備える。なお、例えば、実施の形態２で説明する表示パネルを表示部１２３０に用いることができる。
【０３７０】
入力部１２４０は、位置情報Ｐ２を供給する機能を備える。
【０３７１】
検知部１２５０は、検知情報を供給する機能を備える。検知部１２５０は、例えば、情報処理装置１２００が使用される環境の照度を検出する機能を備え、照度情報を供給する機能を備える。
【０３７２】
これにより、情報処理装置は、情報処理装置が使用される環境において、情報処理装置の筐体が受ける光の強さを把握して動作することができる。または、情報処理装置の使用者は、例えば、表示部の表示方法を選択することができる。具体的には、第１の表示素子を用いる表示方法を選択し、例えば、電力の消費を抑制することができる。または、第２の表示素子を用いる方法を選択し、例えば、暗い場所で表示をすることができる。その結果、利便性に優れた新規な情報処理装置を提供することができる。
【０３７３】
以下に、情報処理装置を構成する個々の要素について説明する。なお、これらの構成は明確に分離できず、一つの構成が他の構成を兼ねる場合や他の構成の一部を含む場合がある。例えばタッチセンサが表示パネルに重ねられたタッチパネルは、表示部であるとともに入力部でもある。
【０３７４】
《情報処理装置》
本発明の一態様の情報処理装置は、演算装置１２１０、入出力装置２２０または入出力装置１２２０を備える。
【０３７５】
《演算装置１２１０》
演算装置１２１０は、演算部１２１１および記憶部１２１２を備える。また、伝送路１２１４および入出力インターフェース１２１５を備える。
【０３７６】
《演算部１２１１》
演算部１２１１は、例えばプログラムを実行する機能を備える。
【０３７７】
《記憶部１２１２》
記憶部１２１２は、例えば演算部１２１１が実行するプログラム、初期情報、設定情報または画像等を記憶する機能を有する。
【０３７８】
具体的には、ハードディスク、フラッシュメモリまたは酸化物半導体を含むトランジスタを用いたメモリ等を用いることができる。
【０３７９】
《入出力インターフェース１２１５、伝送路１２１４》
入出力インターフェース１２１５は端子または配線を備え、情報を供給し、情報を供給される機能を備える。例えば、伝送路１２１４と電気的に接続することができる。また、入出力装置１２２０と電気的に接続することができる。
【０３８０】
伝送路１２１４は配線を備え、情報を供給し、情報を供給される機能を備える。例えば、入出力インターフェース１２１５と電気的に接続することができる。また、演算部１２１１、記憶部１２１２または入出力インターフェース１２１５と電気的に接続することができる。
【０３８１】
《入出力装置２２０》
入出力装置２２０は、表示部１２３０、入力部１２４０および検知部１２５０を有する。例えば、実施の形態１で説明する入出力装置２２０を用いることができる。これにより、コードを供給することができる。または、画像情報および照度に基づいてキートップに表示することができる。
【０３８２】
《入出力装置１２２０》
入出力装置１２２０は、表示部１２３０、入力部１２４０、検知部１２５０または通信部１２９０を備える。
【０３８３】
《表示部１２３０》
例えば、実施の形態２で説明する表示パネルを表示部２３０に用いることができる。
【０３８４】
《入力部１２４０》
さまざまなヒューマンインターフェイス等を入力部１２４０に用いることができる（図１２参照）。
【０３８５】
例えば、マウス、タッチセンサ、マイクまたはカメラ等を入力部１２４０に用いることができる。なお、表示部１２３０に重なる領域を備えるタッチセンサを用いることができる。表示部１２３０と表示部１２３０に重なる領域を備えるタッチセンサを備える入出力装置を、タッチパネルまたはタッチスクリーンということができる。
【０３８６】
例えば、使用者は、タッチセンサに触れた指をポインタに用いて様々なジェスチャー（タップ、ドラッグ、スワイプまたはピンチイン等）をすることができる。
【０３８７】
例えば、演算装置１２１０は、タッチセンサに接触する指の位置または軌跡等の情報を解析し、解析結果が所定の条件を満たすとき、特定のジェスチャーが供給されたとすることができる。これにより、使用者は、所定のジェスチャーにあらかじめ関連付けられた所定の操作命令を、当該ジェスチャーを用いて供給できる。
【０３８８】
一例を挙げれば、使用者は、画像情報の表示位置を変更する「スクロール命令」を、タッチセンサに接触しながら指を移動するジェスチャーを用いて供給できる。
【０３８９】
《検知部１２５０》
検知部１２５０は、周囲の状態を検知して検知情報を供給する機能を備える。具体的には、照度情報、姿勢情報、圧力情報、位置情報等を供給できる。
【０３９０】
例えば、光検出器、姿勢検出器、加速度センサ、方位センサ、ＧＰＳ（Ｇｌｏｂａｌ  ｐｏｓｉｔｉｏｎｉｎｇ  Ｓｙｓｔｅｍ）信号受信回路、圧力センサ、温度センサ、湿度センサまたはカメラ等を、検知部１２５０に用いることができる。
【０３９１】
《通信部１２９０》
通信部１２９０は、ネットワークに情報を供給し、ネットワークから情報を取得する機能を備える。
【０３９２】
なお、本実施の形態は、本明細書で示す他の実施の形態と適宜組み合わせることができる。
【０３９３】
例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に記載されているものとする。
【０３９４】
ここで、Ｘ、Ｙは、対象物（例えば、装置、素子、回路、配線、電極、端子、導電膜、層、など）であるとする。
【０３９５】
ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０３９６】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【０３９７】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【０３９８】
なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【０３９９】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０４００】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【０４０１】
または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【０４０２】
なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０４０３】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【符号の説明】
【０４０４】
ＡＮＯ    導電膜
ＢＭ    遮光膜
ＣＳＣＯＭ    配線
ＣＰ    導電材料
ＧＤ    駆動回路
ＳＤ    駆動回路
ＫＢＣ    制御部
ＡＣＦ１    導電材料
ＡＦ１    配向膜
ＡＦ２    配向膜
Ｃ１    矢印
Ｃ１１    容量素子
Ｃ１２    容量素子
ＣＦ１    着色膜
ＣＦ２    着色膜
Ｇ１    走査線
Ｇ２    走査線
ＫＢ１    構造体
Ｐ１    コード
Ｐ２    位置情報
Ｐ１１    識別情報
Ｒ１    矢印
Ｓ１    信号線
Ｓ２    信号線
ＳＤ１    駆動回路
ＳＤ２    駆動回路
ＳＳ１    検知信号
ＳＷ１    スイッチ
ＳＷ２    スイッチ
Ｖ１    画像情報
Ｖ２    画像情報
Ｖ１１    情報
Ｖ１２    情報
ＶＣＯＭ１    配線
ＶＣＯＭ２    導電膜
ＦＰＣ１    フレキシブルプリント基板
２００    情報処理装置
２０１    筐体
２０２    コネクタ
２１１    キートップ
２１２    コネクタ
２２０    入出力装置
２３０    表示部
２３１    表示領域
２３４    伸張回路
２３５    画像処理部
２３５Ｍ    領域
２３８    制御部
２４０    入力部
２４１    回路基板
２４２Ａ    端子
２４２Ｂ    端子
２５０    検知部
５０１Ｂ    絶縁膜
５０１Ｃ    絶縁膜
５０４    導電膜
５０５    接合層
５０６    絶縁膜
５０８    半導体膜
５１１Ｂ    導電膜
５１１Ｃ    導電膜
５１２Ａ    導電膜
５１２Ｂ    導電膜
５１６    絶縁膜
５１８    絶縁膜
５１９Ｂ    端子
５１９Ｃ    端子
５２０    機能層
５２１    絶縁膜
５２２    接続部
５２４    導電膜
５２８    絶縁膜
５３０    画素回路
５５０    表示素子
５５１（ｉ，ｊ）    電極
５５２    電極
５５３    層
５７０    基板
５９１Ａ    開口部
５９１Ｃ    開口部
５９２Ａ    開口部
５９２Ｂ    開口部
５９２Ｃ    開口部
７００    表示パネル
７００Ｇ    表示区域
７００Ｕ    表示ユニット
７０２    画素
７０５    封止材
７５０    表示素子
７５１（ｉ，ｊ）    電極
７５１（ｉ，ｊ）ｂ    膜
７５１Ｈ    領域
７５２    電極
７５３    層
７７０    基板
７７０Ｄ    機能膜
７７０Ｐ    機能膜
７７１    絶縁膜
７７５Ａ    カップ
７７５Ｂ    弾性体
７７５Ｓ    検知器
７７５Ｕ    入力ユニット
１２００    情報処理装置
１２０１    筐体
１２１０    演算装置
１２１１    演算部
１２１２    記憶部
１２１４    伝送路
１２１５    入出力インターフェース
１２２０    入出力装置
１２３０    表示部
１２４０    入力部
１２５０    検知部
１２９０    通信部
【図１】
2018032288.tif 000003
【図２】
2018032288.tif 000004
【図３】
2018032288.tif 000005
【図４】
2018032288.tif 000006
【図５】
2018032288.tif 000007
【図６】
2018032288.tif 000008
【図７】
2018032288.tif 000009
【図８】
2018032288.tif 000010
【図９】
2018032288.tif 000011
【図１０】
2018032288.tif 000012
【図１１】
2018032288.tif 000013
【図１２】
2018032288.tif 000014